(57)【特許請求の範囲】
【請求項１】
ユーザ機器（ＵＥ）のワイヤレス通信の方法であって、
チャネル状態情報（ＣＳＩ）を決定することと、
タイマーまたはしきい値のうちの少なくとも１つに基づいて、前記ＣＳＩを送るべきかどうかを決定することと、ここにおいて、前記ＵＥは、前記ＣＳＩと基準ＣＳＩとの間の差が前記しきい値よりも大きいとき、および前記ＣＳＩと基準ＣＳＩとの間の差が前記しきい値よりも大きくない場合でも前記タイマーの満了時に、前記ＣＳＩを送ることを決定する、
前記ＣＳＩを送ることを決定すると、前記ＣＳＩを送ることと、
基地局からアップリンク許可を受信することと
を備え、前記アップリンク許可は、前記ＣＳＩが第２のしきい値よりも大きい時間期間の間に送られないときに受信され、ここにおいて、前記ＣＳＩが、前記受信されたアップリンク許可に基づいて送られる、
方法。
【請求項２】
前記ＵＥが、前記ＣＳＩを送ることを決定すると、メディアアクセス制御（ＭＡＣ）ヘッダ中で前記ＣＳＩを送る、請求項１に記載の方法。
【請求項３】
前記ＣＳＩが、チャネル品質指示（ＣＱＩ）、ランク指示（ＲＩ）、プリコーディング行列インデックス（ＰＭＩ）、変調およびコーディング方式（ＭＣＳ）、または経路損失のうちの少なくとも１つを含む、請求項１に記載の方法。
【請求項４】
前記基準ＣＳＩが、前に報告されたＣＳＩ、固定ＣＳＩ、経路損失、または基地局からの受信されたデータ送信のＭＣＳのうちの少なくとも１つに基づいて決定される、請求項１に記載の方法。
【請求項５】
基地局との初期接続セットアップにおいて前記基地局にＣＳＩを送ることをさらに備える、請求項１に記載の方法。
【請求項６】
前記ＣＳＩを送るための要求を基地局に送ることと、
前記要求に基づく前記基地局からの応答を受信することとをさらに備え、
ここにおいて、前記ＣＳＩが、前記受信された応答に基づいて前記基地局に送られる、請求項１に記載の方法。
【請求項７】
複数のサブフレームの各々中で前記ＣＳＩを推定することと、
前記複数のサブフレームにわたる最低のＣＳＩ、または前記複数のサブフレームにわたる前記推定されたＣＳＩの平均に基づいて前記ＣＳＩを決定することと
をさらに備える、請求項１に記載の方法。
【請求項８】
マルチキャストブロードキャスト単一周波数ネットワーク（ＭＢＳＦＮ）サブフレームを示す情報を受信することと、
前記受信された情報に基づいて前記ＣＳＩを決定することと
をさらに備える、請求項１に記載の方法。
【請求項９】
前記ＣＳＩに基づいてランダムアクセスチャネル（ＲＡＣＨ）プロシージャのためのＲＡＣＨフォーマットを選択することをさらに備え、ここにおいて、前記ＣＳＩが、前記ＲＡＣＨプロシージャを通して送られ、前記選択されたＲＡＣＨフォーマットを通して示される、請求項１に記載の方法。
【請求項１０】
基地局から周期的な監視メッセージを受信することと、
前記受信された周期的な監視メッセージに基づいて前記基地局に応答を送ることと、ここにおいて、前記ＣＳＩが前記応答とともに送られる、
をさらに備える、請求項１に記載の方法。
【請求項１１】
基準信号受信品質（ＲＳＲＱ）または基準信号受信電力（ＲＳＲＰ）のうちの少なくとも１つを決定することと、
基地局に前記ＲＳＲＰまたは前記ＲＳＲＱのうちの前記少なくとも１つを送ることと
をさらに備え、
ここにおいて、前記ＣＳＩが前記ＲＳＲＰまたは前記ＲＳＲＱのうちの前記少なくとも１つとともに送られる、請求項１に記載の方法。
【請求項１２】
ワイヤレス通信のための装置であって、前記装置がユーザ機器（ＵＥ）であり、
チャネル状態情報（ＣＳＩ）を決定するための手段と、
タイマーまたはしきい値のうちの少なくとも１つに基づいて、前記ＣＳＩを送るべきかどうかを決定するための手段と、ここにおいて、前記ＣＳＩを送るべきかどうかを前記決定するための手段が、前記ＣＳＩと基準ＣＳＩとの間の差が前記しきい値よりも大きいとき、および前記ＣＳＩと基準ＣＳＩとの間の差が前記しきい値よりも大きくない場合でも前記タイマーの満了時に、前記ＣＳＩを送ることを決定するように構成される、
前記ＣＳＩを送ることを決定すると、前記ＣＳＩを送るための手段と、
基地局からアップリンク許可を受信する手段と
を備え、前記アップリンク許可は、前記ＣＳＩが第２のしきい値よりも大きい時間期間の間に送られないときに受信され、ここにおいて、前記ＣＳＩが、前記受信されたアップリンク許可に基づいて送られる、
装置。
【請求項１３】
先行する請求項１〜請求項１１のうちのいずれかにしたがって方法を実装するための命令を備える、コンピュータプログラム。
【発明の詳細な説明】
【技術分野】
【０００１】
関連出願の相互参照
[0001]  本出願は、その全体が参照により本明細書に明確に組み込まれる、２０１３年１月１６日に出願された「Channel State Information and Adaptive Modulation and coding design for long-term evolution machine type communications」と題する米国仮出願第６１／７５３，３９５号、および２０１３年１２月１８日に出願された「CHANNEL STATE INFORMATION AND ADAPTIVE MODULATION AND CODING DESIGN FOR LONG-TERM EVOLUTION MACHINE TYPE COMMUNICATIONS」と題する米国非仮出願第１４／１３３，０６２号の利益を主張する。
【０００２】
[0002]  本開示は、一般に通信システムに関し、より詳細には、ロングタームエボリューション（ＬＴＥ：long-term evolution）マシンタイプ通信（ＭＴＣ：machine type communication）のためのチャネル状態情報（ＣＳＩ：channel state information）および適応変調およびコーディング（ＡＭＣ：adaptive modulation and coding）設計に関する。
【背景技術】
【０００３】
[0003]  ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングＬＴＥである。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示の一態様では、方法、コンピュータプログラム製品、および装置が提供される。本装置はＭＴＣ  ＵＥである。ＵＥは、基地局とＵＥとの間の推定されたチャネルに対応する第１の変調およびコーディング方式（ＭＣＳ：modulation and coding scheme）を決定する。ＵＥは、基地局から第２のＭＣＳを用いて変調され、コーディングされたデータを受信する。ＵＥは、第２のＭＣＳがしきい値超だけ第１のＭＣＳと異なるかどうかを決定する。ＵＥは、第２のＭＣＳがしきい値超だけ第１のＭＣＳと異なると決定した後に、ＣＳＩを送る。
【０００６】
[0006]  本開示の別の態様では、方法、コンピュータプログラム製品、および装置が提供される。本装置はＭＴＣ  ＵＥである。ＵＥは、基地局から伝送時間間隔（ＴＴＩ：transmission time interval）バンドリング送信（bundling transmission）を受信する。ＵＥはＴＴＩバンドリング送信のサブセットを復号する。ＵＥは、ＴＴＩバンドリング送信のサブセットを復号すると、ＴＴＩバンドリング送信を早期に終了するために、基地局に肯定応答を送る。ＣＳＩは、ＵＥによって受信されたＴＴＩバンドリング送信の割合を通して基地局に示される。
【０００７】
[0007]  本開示の別の態様では、方法、コンピュータプログラム製品、および装置が提供される。本装置は基地局にアップリンク送信を送る。本装置は基地局からデータ送信を受信し、データ送信は、アップリンク送信に基づいて決定されたＭＣＳ、またはアップリンク送信に基づいて決定されたＴＴＩバンドリングサイズのうちの少なくとも１つを有する。
【０００８】
[0008]  本開示の別の態様では、方法、コンピュータプログラム製品、および装置が提供される。本装置はＭＴＣ  ＵＥである。ＵＥはＣＳＩを決定する。ＵＥは、タイマーまたはしきい値のうちの少なくとも１つに基づいて、ＣＳＩを送るべきかどうかを決定する。ＵＥは、ＣＳＩを送ることを決定すると、ＣＳＩを送る。
【図面の簡単な説明】
【０００９】
【図１】[0009]  ネットワークアーキテクチャの一例を示す図。
【図２】[0010]  アクセスネットワークの一例を示す図。
【図３】[0011]  ＬＴＥにおけるＤＬフレーム構造の一例を示す図。
【図４】[0012]  ＬＴＥにおけるＵＬフレーム構造の一例を示す図。
【図５】[0013]  ユーザプレーンおよび制御プレーンのための無線プロトコルアーキテクチャの一例を示す図。
【図６】[0014]  アクセスネットワーク中の発展型ノードＢおよびユーザ機器の一例を示す図。
【図７Ａ】[0015]  マルチキャストブロードキャスト単一周波数ネットワーク（Multicast Broadcast Single Frequency Network）中の発展型マルチメディアブロードキャストマルチキャストサービスチャネル構成（evolved Multimedia Broadcast Multicast Service channel configuration）の一例を示す図。
【図７Ｂ】[0016]  マルチキャストチャネルスケジューリング情報（Multicast Channel Scheduling Information）メディアアクセス制御（Media Access Control）制御要素のフォーマットを示す図。
【図８Ａ】[0017]  第１の例示的な方法を示すための図。
【図８Ｂ】[0018]  第２の例示的な方法を示すための図。
【図８Ｃ】[0019]  第３の例示的な方法を示すための図。
【図８Ｄ】[0020]  第４の例示的な方法を示すための図。
【図９】[0021]  ワイヤレス通信の第１の方法のフローチャート。
【図１０】[0022]  ワイヤレス通信の第２の方法のフローチャート。
【図１１】[0023]  ワイヤレス通信の第３方法のフローチャート。
【図１２】[0024]  例示的な装置中の異なるモジュール／手段／構成要素間のデータフローを示す概念データフロー図。
【図１３】[0025]  処理システムを採用する装置のためのハードウェア実装形態の一例を示す図。
【図１４】[0026]  例示的な装置中の異なるモジュール／手段／構成要素間のデータフローを示す概念データフロー図。
【図１５】[0027]  処理システムを採用する装置のためのハードウェア実装形態の一例を示す図。
【図１６】[0028]  ワイヤレス通信の第４の方法のフローチャート。
【図１７】[0029]  例示的な装置中の異なるモジュール／手段／構成要素間のデータフローを示す概念データフロー図。
【図１８】[0030]  処理システムを採用する装置のためのハードウェア実装形態の一例を示す図。
【発明を実施するための形態】
【００１０】
[0031]  添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１１】
[0032]  次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課された設計制約に依存する。
【００１２】
[0033]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１３】
[0034]  したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザで光学的に再生する。上記の組合せもコンピュータ可読媒体の範囲内に含まれるべきである。
【００１４】
[0035]  図１は、ＬＴＥネットワークアーキテクチャを示す図である。ＬＴＥネットワークアーキテクチャは発展型パケットシステム（ＥＰＳ：Evolved Packet System）１００と呼ばれることがある。ＥＰＳ１００は、１つまたは複数のユーザ機器（ＵＥ：user equipment）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示される様々な概念は、回線交換サービスを提供するネットワークに拡張され得る。
【００１５】
[0036]  Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（backhaul）（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１６】
[0037]  ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１７】
[0038]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１８】
[0039]  アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communication）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１９】
[0040]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００２０】
[0041]  空間多重化は、概して、チャネル状態が良いときに使用される。チャネル状態があまり好ましくないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２１】
[0042]  以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（guard interval）（たとえば、サイクリックプレフィックス（cyclic prefix））が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２２】
[0043]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックス（normal cyclic prefix）について、時間領域中に７個の連続するＯＦＤＭシンボル、または８４個のリソース要素を含んでいる。拡張サイクリックプレフィックス（extended cyclic prefix）について、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２３】
[0044]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２４】
[0045]  ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２５】
[0046]  初期システムアクセスを実行し、物理ランダムアクセスチャネル（ＲＡＣＨ：random access channel）（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２６】
[0047]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２７】
[0048]  ユーザプレーンでは、Ｌ２レイヤ５０８は、ネットワーク側のｅＮＢにおいて終端される、ＭＡＣサブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２８】
[0049]  ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、消失データパケットの再送信と、ハイブリッド自動再送要求（ＨＡＲＱ：hybrid automatic repeat request）による、順序が乱れた受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２９】
[0050]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００３０】
[0051]  図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、消失パケットの再送信と、ＵＥ６５０へのシグナリングとを担当する。
【００３１】
[0052]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーション（signal constellation）へのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００３２】
[0053]  ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３３】
[0054]  コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３４】
[0055]  ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、消失パケットの再送信、およびｅＮＢ６１０へのシグナリングを担当する。
【００３５】
[0056]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３６】
[0057]  ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３７】
[0058]  コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３８】
[0059]  図７Ａは、ＭＢＳＦＮにおける発展型ＭＢＭＳ（ｅＭＢＭＳ）チャネル構成の一例を示す図７５０である。セル７５２’中のｅＮＢ７５２は第１のＭＢＳＦＮエリアを形成し得、セル７５４’中のｅＮＢ７５４は第２のＭＢＳＦＮエリアを形成し得る。ｅＮＢ７５２、７５４はそれぞれ、他のＭＢＳＦＮエリア、たとえば、最高合計８つのＭＢＳＦＮエリアに関連付けられ得る。ＭＢＳＦＮエリア内のセルが予約済みセルを指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で制限電力を有する。ＭＢＳＦＮエリア中の各ｅＮＢは、同じｅＭＢＭＳ制御情報とデータとを同期的に送信する。各エリアは、ブロードキャストサービスと、マルチキャストサービスと、ユニキャストサービスとをサポートし得る。ユニキャストサービスは、特定のユーザを対象とするサービス、たとえば、ボイス呼（voice call）である。マルチキャストサービスは、あるユーザのグループによって受信され得るサービス、たとえば、サブスクリプションビデオサービスである。ブロードキャストサービスは、すべてのユーザによって受信され得るサービス、たとえば、ニュース放送である。図７Ａを参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、複数の物理マルチキャストチャネル（ＰＭＣＨ：physical multicast channel）（たとえば、１５個のＰＭＣＨ）をサポートする。各ＰＭＣＨはマルチキャストチャネル（ＭＣＨ：multicast channel）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し得、残りのＭＣＨは複数のＭＴＣＨを多重化し得る。
【００３９】
[0060]  ＵＥは、ｅＭＢＭＳサービスアクセスの利用可能性と、対応するアクセス層構成を発見するためにＬＴＥセルにキャンプオンし得る。第１のステップにおいて、ＵＥは、システム情報ブロック（ＳＩＢ）１３（ＳＩＢ１３）を収集する。第２のステップにおいて、ＳＩＢ１３に基づいて、ＵＥは、ＭＣＣＨ上でＭＢＳＦＮエリア構成メッセージを収集する。第３のステップにおいて、ＭＢＳＦＮエリア構成メッセージに基づいて、ＵＥは、ＭＣＨスケジューリング情報（ＭＳＩ）ＭＡＣ制御要素を収集する。ＳＩＢ１３は、（１）セルによってサポートされる各ＭＢＳＦＮエリアのＭＢＳＦＮエリア識別子と、（２）ＭＣＣＨ繰り返し期間（たとえば、３２個、６４個、．．．、２５６個のフレーム）、ＭＣＣＨオフセット（たとえば、０、１つ、．．．、１０個のフレーム）、ＭＣＣＨ変更期間（たとえば、５１２個、１０２４個のフレーム）、シグナリング変調およびコーディング方式（ＭＣＳ）、繰り返し期間とオフセットとによって示される無線フレームのどのサブフレームがＭＣＣＨを送信することができるかを示すサブフレーム割振り情報など、ＭＣＣＨを収集するための情報と、（３）ＭＣＣＨ変更通知構成とを示す。各ＭＢＳＦＮエリアについて１つのＭＢＳＦＮエリア構成メッセージ（Area Configuration message）がある。ＭＢＳＦＮエリア構成メッセージは、（１）ＰＭＣＨ内の論理チャネル識別子によって識別される各ＭＴＣＨの一時的モバイルグループ識別情報（ＴＭＧＩ：temporary mobile group identity）およびオプションのセッション識別子と、（２）ＭＢＳＦＮエリアの各ＰＭＣＨを送信するための割り振られたリソース（すなわち、無線フレームおよびサブフレーム）およびそのエリア中のすべてのＰＭＣＨのための割り振られたリソースの割振り期間（たとえば、４つ、８つ、．．．、２５６個のフレーム）と、（３）ＭＳＩ  ＭＡＣ制御要素が送信されるＭＣＨスケジューリング期間（ＭＳＰ）（たとえば、８つ、１６個、３２個、．．．、または１０２４個の無線フレーム）とを示す。
【００４０】
[0061]  図７Ｂは、ＭＳＩ  ＭＡＣ制御要素のフォーマットを示す図７９０である。ＭＳＩ  ＭＡＣ制御要素は、ＭＳＰごとに１回送られ得る。ＭＳＩ  ＭＡＣ制御要素は、ＰＭＣＨの各スケジューリング期間の第１のサブフレーム中で送られ得る。ＭＳＩ  ＭＡＣ制御要素は、ＰＭＣＨ内の各ＭＴＣＨの停止フレームおよびサブフレームを示すことができる。ＭＢＳＦＮエリアごとにＰＭＣＨ当たり１つのＭＳＩがある。
【００４１】
[0062]  ＬＴＥでは、特にスマートフォン、タブレットなど、ハイエンドデバイスにおける、スペクトル効率、ユビキタスカバレージ、拡張サービス品質（ＱｏＳ）サポートなどの改善に関心が集まっている。また、最大帯域幅の低減、単一の受信ＲＦチェーン、ピークレートの低減、送信電力の低減、および半二重動作などのファクタを考慮しながら、ＬＴＥに基づく低コストＭＴＣ  ＵＥに関心が集まっている。ＬＴＥでは、ｅＮＢは、受信されたＣＳＩフィードバックに基づいてＡＭＣを実行する。ＣＳＩフィードバックは、チャネル品質指示（ＣＱＩ：channel quality indication）、ランク指示（ＲＩ：rank indication）、および／またはプリコーディング行列インデックス（ＰＭＩ：precoding matrix index）を含む。ＣＳＩフィードバックは、ＡＭＣの目的でｅＮＢのスケジューラに正確な情報を与える。ＣＳＩフィードバックがない場合、スループットと電力消費との非効率性が生じ得るので、ＣＳＩフィードバックを有することが望ましい。たとえば、低いＳＮＲにおけるＣＳＩフィードバックなしに、高いＭＣＳを使用すると、長いＴＴＩバンドリングの後でも残差ブロックエラーレート（ＢＬＥＲ：block error rate）が高くなる。高い残差ＢＬＥＲは上位レイヤ再送信をトリガすることがある。一方、高いＳＮＲにおけるＣＳＩフィードバックなしに、低いＭＣＳを使用すると、送信がはるかに長くなる。しかしながら、従来のＣＳＩフィードバック機能は、通常、大量の電力とＵＬリソースとを消費することがある頻繁なＣＳＩフィードバックを伴う。その上、ＣＳＩフィードバック計算は、ＭＴＣ  ＵＥの計算コストを増加させ得る大量の計算を伴う。したがって、ＣＳＩフィードバックを与えるための効率的な手法が必要である。ＣＳＩフィードバックを効率的に与えるための方法を図８Ａ、図８Ｂ、図８Ｃ、および図８Ｄに関して以下で与える。図８Ａ、図８Ｂ、図８Ｃ、および図８Ｄに関して与えられる方法の各々は、個別に、または他の方法のうちの１つまたは複数とともに実施され得る。
【００４２】
[0063]  図８Ａは、第１の例示的な方法を示すための図８１０である。初期接続セットアップ中に（たとえば、ＲＡＣＨプロシージャにおいて）、ＭＴＣ  ＵＥ８０３ＡはｅＮＢ８０５ＡにＣＳＩを搬送し得る。８１１において、ＭＴＣ  ＵＥ８０３ＡはｅＮＢ８０５Ａから基準（パイロット）信号を受信する。基準信号に基づいて、ＭＴＣ  ＵＥ８０３ＡはｅＮＢ８０５ＡとＭＴＣ  ＵＥ８０３Ａとの間のチャネルを推定する。８１３において、ＭＴＣ  ＵＥ８０３Ａは、次いで、ｅＮＢ８０５ＡとＭＴＣ  ＵＥ８０３Ａとの間の推定されたチャネルに対応する第１の（予想される）ＭＣＳを決定する。ＭＴＣ  ＵＥ８０３Ａは複数のサブフレームの各々中でチャネルを推定し得る。ＭＴＣ  ＵＥ８０３Ａは複数のサブフレームにわたってチャネル推定値を平均化し得る。第１のＭＣＳを決定した後、ＭＴＣ  ＵＥ８０３Ａは、８１５において、ｅＮＢ８０５Ａから第２の（現在の）ＭＣＳを用いて変調され、コーディングされたデータを受信し、８１７において、第２のＭＣＳがしきい値超だけ第１のＭＣＳと異なるかどうかを決定する。第２の（現在の）ＭＣＳがしきい値Ｔ超だけ第１の（予想される）ＭＣＳと異なる場合、第２のＭＣＳは真のチャネル統計値から著しく逸脱する。第２のＭＣＳが真のチャネル統計値から著しく逸脱するとＭＴＣ  ＵＥ８０３Ａが決定した場合、８１９において、ＭＴＣ  ＵＥ８０３ＡはｅＮＢ８０５ＡにＣＳＩを送る。第１の例示的な方法によれば、ＣＳＩフィードバックが必要とされるとき（たとえば、第２のＭＣＳがしきい値超だけ第１のＭＣＳと異なった後）のみ、ＭＴＣ  ＵＥ８０３ＡはＣＳＩフィードバックを与える。必要なときのみＣＳＩフィードバックを与えることは、電力およびＵＬリソースを節約する。
【００４３】
[0064]  しきい値Ｔは、ＭＣＳが与えるシンボルごとのビット数に対応する、０よりも大きいかまたはそれに等しい整数であり得る。たとえば、現在のＭＣＳが１６ＱＡＭであり、予想されるＭＣＳがＱＰＳＫであると仮定する。１６ＱＡＭは４ビット／シンボルを与えるが、ＱＰＳＫは２ビット／シンボルを与える。１６ＱＡＭとＱＰＳＫとの間の差は２に等しいことがある。しきい値Ｔが０または１に設定された場合、ＭＴＣ  ＵＥ８０３Ａは、現在のＭＣＳが予想されるＭＣＳから著しく逸脱すると決定する。しかしながら、しきい値Ｔが２に設定された場合、１６ＱＡＭとＱＰＳＫとの間の差がＴよりも大きくないので、ＭＴＣ  ＵＥ８０３Ａは、現在のＭＣＳが予想されるＭＣＳから著しく逸脱しないと決定する。しきい値Ｔが２に設定され、予想されるＭＣＳがＱＰＳＫである場合、ＭＴＣ  ＵＥ８０３Ａは、現在のＭＣＳが、５またはそれよりも多いビット／シンボルに対応する６４ＱＡＭまたはそれよりも高いときのみ、現在のＭＣＳが真のチャネル統計値から著しく逸脱すると決定する。しきい値Ｔは、たとえば、ＭＣＳインデックスに対応するものなど、他の方法で決定され得る。たとえば、現在のＭＣＳがＭＣＳ４であり（ＭＣＳインデックスは４である）、予想されるＭＣＳがＭＣＳ２である（ＭＣＳインデックスは２である）と仮定する。ＭＣＳ２とＭＣＳ４との間の差は２に等しいことがある。しきい値Ｔが０または１に設定された場合、ＭＴＣ  ＵＥ８０３Ａは、現在のＭＣＳが予想されるＭＣＳから著しく逸脱すると決定する。しかしながら、しきい値Ｔが２に設定された場合、ＭＣＳ２とＭＣＳ４との間の差がＴよりも大きくないので、ＭＴＣ  ＵＥ８０３Ａは、現在のＭＣＳが予想されるＭＣＳから著しく逸脱しないと決定する。しきい値Ｔが２に設定され、予想されるＭＣＳがＭＣＳ２である場合、ＭＴＣ  ＵＥ８０３Ａは、現在のＭＣＳがＭＣＳ５またはそれよりも高いときのみ、現在のＭＣＳが真のチャネル統計値から著しく逸脱すると決定する。
【００４４】
[0065]  ｅＮＢ８０５Ａは、最低ＭＣＳ（たとえば、ＢＰＳＫ）に基づいて、またはＭＴＣ  ＵＥ８０３ＡからのＣＳＩフィードバック（たとえば、ＲＡＣＨプロシージャ中など、初期接続セットアップ中に与えられるＣＳＩフィードバック）に基づいて初期ＡＭＣを決定し得る。ｅＮＢ８０５Ａは、ＭＴＣ  ＵＥ８０３Ａが更新されたＣＳＩフィードバックを与えない限り、ＤＬ送信のために同じＭＣＳを使用し続け得る。ＭＴＣ  ＵＥ８０３Ａが更新されたＣＳＩフィードバックを与える場合、ｅＮＢ８０５Ａは、受信されたＣＳＩフィードバックに基づいてＡＭＣを決定し、追加のＣＳＩフィードバックが受信されるまで、決定されたＡＭＣを使用し続け得る。
【００４５】
[0066]  上記で説明したように、ＭＴＣ  ＵＥ８０３Ａは、チャネルの長期平均化を実行するが、現在のＭＣＳがそれの真のチャネル統計値から著しく逸脱する（より良いまたはより悪い）場合のみ、ｅＮＢ８０５ＡにＣＳＩを送り得る。したがって、ＭＴＣ  ＵＥ８０３Ａは、複数のサブフレームにわたってｅＮＢ８０５ＡとＭＴＣ  ＵＥ８０３Ａとの間のチャネルを平均化し、推定されたチャネルに対応する予想されるＭＣＳと現在のＭＣＳとがしきい値だけ異なる場合のみ、ＣＳＩフィードバックを送り得る。したがって、ＣＳＩフィードバックはイベント駆動型である。たとえば、ＭＴＣ  ＵＥ８０３ＡがＱＰＳＫの予想されるＭＣＳを決定するが、（ＱＰＳＫよりも著しく良い）６４ＱＡＭを用いてデータ送信を受信する場合、ＭＴＣ  ＵＥ８０３ＡはｅＮＢ８０５Ａに更新されたＣＳＩフィードバックを送ることを決定し得る。別の例では、ＭＴＣ  ＵＥ８０３Ａが、予想されるＭＣＳが６４ＱＡＭであると決定するが、（６４ＱＡＭよりも著しく悪い）ＱＰＳＫを用いてデータ送信を受信する場合、ＭＴＣ  ＵＥ８０３ＡはｅＮＢ８０５Ａに更新されたＣＳＩフィードバックを送ることを決定し得る。
【００４６】
[0067]  ＭＴＣ  ＵＥ８０３ＡがｅＮＢ８０５ＡにＣＳＩフィードバックを送ることを決定すると、ＭＴＣ  ＵＥ８０３Ａは次のＵＬ送信までＣＳＩフィードバックを記憶し得る。第１の構成では、ＭＴＣ  ＵＥ８０３Ａは、ｅＮＢ８０５Ａに送られたスケジュールされたＵＬデータ（ＰＵＳＣＨ）送信内のＭＡＣヘッダ中にＣＳＩを含み得る。第２の構成では、スケジュールされたＰＵＳＣＨ送信はないが、ＭＴＣ  ＵＥ８０３Ａが、ｅＮＢ８０５Ａに送信すべきバッファステータス報告（ＢＳＲ：buffer status report）を有する（すなわち、ＭＴＣ  ＵＥ８０３Ａが送信すべきデータを有する）場合、ＭＴＣ  ＵＥ８０３Ａは、ＢＳＲを含むＵＬ  ＰＵＳＣＨ送信を用いてＭＡＣヘッダ中でＣＳＩを送り得る。ＢＳＲはＭＴＣ  ＵＥ８０３Ａのバッファ中のデータの量をｅＮＢ８０５Ａに示す。ＭＴＣＨ  ＵＥ８０３Ａが、ｅＮＢ８０５Ａに送るべきＢＳＲを有する場合、ＭＴＣ  ＵＥ８０３Ａは、ＢＳＲを送るためのＵＬリソースを要求するスケジューリング要求（ＳＲ：scheduling request）をｅＮＢ８０５Ａに送る。第２の構成では、ＭＴＣ  ＵＥ８０３Ａは、ＢＳＲに割り振られたリソース中でＣＳＩとＢＳＲとを送る。
【００４７】
[0068]  第３の構成では、ＭＴＣ  ＵＥ８０３Ａが、スケジュールされたＵＬ送信（たとえば、ＰＵＳＣＨ送信）を有せず、ｅＮＢ８０５Ａに送信すべきＢＳＲを有しない場合、ＭＴＣ  ＵＥ８０３Ａは、ｅＮＢ８０５Ａに更新されたＣＳＩを送るために、ＳＲを送るか、またはランダムアクセスチャネル（ＲＡＣＨ：random access channel）プロシージャを実行し得る。第３の構成では、ＭＴＣ  ＵＥ８０３Ａは、第２のＭＣＳがしきい値超だけ第１のＭＣＳと異なると決定すると、ＣＳＩを送るための要求をｅＮＢ８０５Ａに送り得る。ＭＴＣ  ＵＥ８０３Ａは、要求に基づくｅＮＢ８０５Ａからの応答を受信し、受信された応答に基づいてＣＳＩを送り得る。一構成では、要求はＳＲであり得、受信された応答はＵＬ許可であり得る。したがって、たとえば、現在のＭＣＳがしきい値超だけ予想されるＭＣＳと異なり、ＭＴＣ  ＵＥ８０３Ａが、スケジュールされたＰＵＳＣＨ送信を有せず、ＭＴＣ  ＵＥ８０３Ａが、ｅＮＢ８０５Ａに送信すべきＢＳＲを有しないとき、ＣＳＩを送るためのＵＬリソースを与えるようにｅＮＢ８０５Ａに要求するために、ＳＲがトリガされ得る。別の構成では、要求および応答はＲＡＣＨプロシージャに関連付けられ得る。したがって、要求はランダムアクセスプリアンブルであり得、応答はランダムアクセス応答であり得る。したがって、たとえば、現在のＭＣＳがしきい値超だけ予想されるＭＣＳと異なり、ＭＴＣ  ＵＥ８０３Ａが、スケジュールされたＰＵＳＣＨ送信を有せず、ＭＴＣ  ＵＥ８０３Ａが、ｅＮＢ８０５Ａに送信すべきＢＳＲを有しないとき、ＭＴＣ  ＵＥ８０３Ａは、ＲＡＣＨプロシージャを実行し、ｅＮＢ８０５Ａにランダムアクセスプリアンブルを送り得る。ＭＴＣ  ＵＥ８０３Ａは、次いで、ｅＮＢ８０５Ａからランダムアクセス応答を受信し得る。受信されたランダムアクセス応答に基づいて、ＭＴＣ  ＵＥ８０３ＡはｅＮＢ８０５ＡにＣＳＩを送り得る。また別の構成では、ＭＴＣ  ＵＥ８０３Ａは、ＣＳＩに基づいてＲＡＣＨプロシージャのためのＲＡＣＨフォーマットを選択し、ＲＡＣＨプロシージャ中で選択されたＲＡＣＨフォーマットを通してｅＮＢ８０５ＡにＣＳＩを示す。ＭＴＣ  ＵＥ８０３Ａは、ランダムアクセスプリアンブル中の選択されたＲＡＣＨフォーマットを通して、および／またはランダムアクセス応答に対する応答中の選択されたＲＡＣＨフォーマットを通してＣＳＩを示し得る。
【００４８】
[0069]  第４の構成では、ＭＴＣ  ＵＥ８０３Ａは、非周期ＣＱＩ送信を通してｅＮＢ８０５ＡにＣＳＩを送り得る。第４の構成では、ＭＴＣ  ＵＥ８０３ＡはｅＮＢ８０５ＡからＵＬ許可を受信し、ＵＬ許可は、ＣＳＩが割り振られたＵＬリソース中で送られるべきであることを詳細に示す。ＭＴＣ  ＵＥ８０３Ａは、割り振られたＵＬリソース中でＣＳＩフィードバックを送信する。
【００４９】
[0070]  第５の構成では、ＵＬ送信がない場合、ｅＮＢ８０５Ａは、ＣＳＩフィードバックを送るためのＵＬ許可をＭＴＣ  ＵＥ８０３Ａに時々送り得る。したがって、ＭＴＣ  ＵＥ８０３Ａが、しきい値時間期間よりも大きい時間期間の間にＣＳＩを送らなかったとき、ｅＮＢ８０５ＡはＵＬ許可を送り得る。ＭＴＣ  ＵＥ８０３Ａは、ｅＮＢ８０５ＡからＵＬ許可を受信し、ｅＮＢ８０５Ａからの受信されたＵＬ許可に基づいてｅＮＢ８０５ＡにＣＳＩを送り得る。このプロシージャは監視プロシージャに結合され得る。
【００５０】
[0071]  上記で説明したように、ＣＳＩ報告は、しきい値よりも大きいＭＣＳ差に基づき得る。さらに、現在測定された経路損失を最後に報告された経路損失と比較するために、代替手法が実装され得る。現在測定された経路損失と最後に報告された経路損失との間の差が著しく大きい（たとえば、あるしきい値よりも大きい）場合、ＵＥはＣＳＩを送り得る。
【００５１】
[0072]  ＣＳＩフィードバックを報告するためのいくつかの手法がある。第１の手法では、ＭＴＣ  ＵＥ８０３Ａは、（電力最適化のために）複数のサブフレームにわたる最低品質チャネル推定値に基づいてＣＳＩを決定し、最も悪いＭＣＳに対応するＣＳＩを報告し得る。第２の手法では、ＭＴＣ  ＵＥ８０３Ａは、（スペクトル効率最適化のために）複数のフレームにわたる推定されたチャネルの平均に基づいてＣＳＩを決定し、平均ＣＳＩを報告し得る。第３の手法では、ＭＴＣ  ＵＥ８０３Ａは、（ｅＮＢスケジューリングフレキシビリティのために）最も悪いケースのＣＳＩと平均ＣＳＩの両方を決定し、より悪いケースのＣＳＩと平均ＣＳＩの両方を報告し得る。第４の手法では、ＭＴＣ  ＵＥ８０３Ａは、複数のサブフレームの推定されたチャネルのうちのチャネルの１つの推定値に基づいてＣＳＩを決定し得る。第５の手法では、ＭＴＣ  ＵＥ８０３Ａは、ＣＳＩをどのように決定すべきかを示す構成（configuration）を受信し、次いで、受信された構成に基づいてＣＳＩを決定し得る。構成は、第１〜第４の手法のうちの１つを使用することをＭＴＣ  ＵＥ８０３Ａに示し得るか、またはＣＳＩフィードバックを報告するための異なる手法を使用することをＭＴＣ  ＵＥ８０３Ａに示し得る。
【００５２】
[0073]  ＭＢＳＦＮブロードキャストがデータ送信のために使用される場合、ＭＴＣ  ＵＥ８０３Ａは、ＭＢＳＦＮサブフレームを示す情報を受信し、受信された情報に基づいてＣＳＩを決定し得る。したがって、ＭＴＣ  ＵＥ８０３Ａは、マルチキャスト／ブロードキャストを使用して送信されるサブフレームを通知され得、ＭＴＣ  ＵＥ８０３Ａは、それらのサブフレームについてＣＳＩフィードバックを別様に扱い得る。たとえば、ＭＴＣ  ＵＥ８０３Ａがマルチキャスト／ブロードキャストデータを受信する場合、受信されたマルチキャスト／ブロードキャストデータに基づいて決定されたＣＳＩフィードバックは、受信されたユニキャストデータに基づいて決定されたＣＳＩフィードバックよりも良いことがある。したがって、ＭＴＣ  ＵＥ８０３Ａは、マルチキャスト／ブロードキャストデータに基づいてチャネル推定値を調整または無視し得る。
【００５３】
[0074]  分離されたＤＬおよびＵＬ動作がＭＴＣ  ＵＥ８０３Ａのために使用される場合、ｅＮＢ８０５Ａ中の１つのセルはＤＬに専用であり得、ｅＮＢ８０５Ａ中の別のセルはＵＬに専用であり得る。この場合、ＭＴＣ  ＵＥ８０３Ａは、ｅＮＢ８０５Ａの第１のセルからデータを受信し、ｅＮＢ８０５Ａの第２のセルにＣＳＩを送り得、ここで、第２のセルは第１のセルとは異なる。ｅＮＢ８０５Ａの第１のセルはＤＬサービングセルであり得、ｅＮＢ８０５Ａの第２のセルはＵＬサービングセルであり得る。
【００５４】
[0075]  上記で説明したように、ＭＴＣ  ＵＥ８０３Ａは、ＣＳＩに基づいてＲＡＣＨプロシージャのためのＲＡＣＨフォーマットを選択し得る。ＭＴＣ  ＵＥ８０３Ａは、ＲＡＣＨプロシージャを通してＣＳＩを送り、選択されたＲＡＣＨフォーマットを通してＣＳＩを示す。言い換えれば、ＭＴＣ  ＵＥ８０３Ａは、ＲＡＣＨのフォーマットがｅＮＢ８０５ＡにＣＳＩを示すように、ｅＮＢ８０５Ａにそれの無線状態を示すためにＲＡＣＨフォーマット（たとえば、ＲＡＣＨバンドルの異なる長さ）を選択し得る。たとえば、チャネルが不良状態にある場合、ＭＴＣ  ＵＥ８０３Ａは、より長い送信時間をもつＲＡＣＨを選択し得る。より長い送信時間のこのＲＡＣＨフォーマットは、チャネルが不良状態にあることをｅＮＢ８０５Ａに示す。一方、たとえば、チャネルが良好状態にある場合、ＭＴＣ  ＵＥ８０３ＡはコンパクトなＲＡＣＨチャネルを選択し得、このＲＡＣＨフォーマットは、チャネルが良好状態にあることをｅＮＢ８０５Ａに示す。ＲＡＣＨフォーマットに応じて、ｅＮＢ８０５Ａは、後続のＤＬ送信（たとえば、バンドリング（bundling）をもつｍｓｇ２）のために適切なＭＣＳとバンドリングサイズとを選択し得る。同様に、ＣＳＩ情報はまた、ＲＡＣＨおよびＲＲＣ接続セットアッププロシージャ中にｍｓｇ３またはｍｓｇ５中で送られ得る。
【００５５】
[0076]  初期ＲＡＣＨプロシージャのために、ＭＴＣ  ＵＥ８０３Ａは、ＤＬ経路損失を測定し、経路損失に応じて、（フォーマットとも呼ばれる）複数のＲＡＣＨシーケンス／シグネチャのうちの１つを選択する。ＭＴＣ  ＵＥ８０３Ａが通常ＲＡＣＨ送信を選択する場合、ＭＴＣ  ＵＥ８０３Ａ（ｍｓｇ３およびｍｓｇ５）とｅＮＢ８０５Ａ（ｍｓｇ２およびｍｓｇ４）とによる後続の送信はＴＴＩバンドリングを使用しない。ＭＴＣ  ＵＥ８０３Ａが、長いＴＴＩをもつバンドルされたＲＡＣＨ送信を選択する場合、ＭＴＣ  ＵＥ８０３Ａ（ｍｓｇ３およびｍｓｇ５）とｅＮＢ８０５Ａ（ｍｓｇ２およびｍｓｇ４）とによる後続の送信は、ＴＴＩバンドリングをもつ最低ＭＣＳ（たとえば、ＢＰＳＫ）を使用する。
【００５６】
[0077]  ＣＳＩフィードバックは他の報告と組み合わせられ得る。１つの手法では、ＭＴＣ  ＵＥ８０３Ａは、ｅＮＢ８０５Ａから周期的な監視メッセージ（periodic supervision message）を受信し、受信された周期的な監視メッセージに基づいてｅＮＢ８０５Ａに応答を送り得、ここで、ＣＳＩは応答とともに送られる。ＭＴＣ  ＵＥ８０３Ａがアクセス可能であるかどうか、またはＭＴＣ  ＵＥ８０３Ａがカバレージ外にまたは（たとえば、バッテリー不良により）サービス外にあるかどうかを決定するために、周期的な監視が必要とされ得る。したがって、ＭＴＣ  ＵＥ８０３Ａに周期的な監視メッセージを送り、ＭＴＣ  ＵＥ８０３Ａから応答を受信することによって、ｅＮＢ８０５Ａは、ＭＴＣ  ＵＥ８０３Ａが動作しているかどうかを決定することができる。たとえば、ｅＮＢ８０５Ａは周期的な監視メッセージを送り得、ＭＴＣ  ＵＥ８０３Ａが要求に応答して肯定応答を返送する場合、ｅＮＢ８０５Ａは、ＭＴＣ  ＵＥ８０３Ａがアクセス可能であると決定し得る。ＭＴＣ  ＵＥ８０３Ａはまた、監視要求に対する肯定応答とともにＣＳＩフィードバックを送り得る。
【００５７】
[0078]  ＣＳＩを他の報告と組み合わせるための別の手法では、ＭＴＣ  ＵＥ８０３Ａは、基準信号受信品質（ＲＳＲＱ：reference signal received quality）および／または基準信号受信電力（ＲＳＲＰ：reference signal received power）を決定し、ｅＮＢ８０５ＡにＲＳＲＰおよび／またはＲＳＲＱを送り得、ここで、ＣＳＩはＲＳＲＰまたはＲＳＲＱのうちの少なくとも１つとともに送られる。したがって、この手法によれば、ＭＴＣ  ＵＥ８０３Ａは、ＲＳＲＰおよび／またはＲＳＲＱを測定し得、次いで、ＭＴＣ  ＵＥ８０３ＡがｅＮＢ８０５Ａに測定されたＲＳＲＰ／ＲＳＲＱを報告するとき、ＭＴＣ  ＵＥ８０３Ａは、ＣＳＩ報告をＲＳＲＰ／ＲＳＲＱ報告と組み合わせ、ｅＮＢ８０５Ａに組み合わせられた報告を送り得る。ＲＳＲＰ／ＲＳＲＱ報告はイベント駆動型であり得る。さらに、長期ＣＳＩ報告はＲＳＲＰ／ＲＳＲＱ報告と組み合わせられ得る。
【００５８】
[0079]  一構成では、ＭＴＣ  ＵＥ８０３Ａは、ｅＮＢ８０５ＡとＭＴＣ  ＵＥ８０３Ａとの間の推定されたチャネルに対応する第１のバンドリングサイズを決定し、第２のバンドリングサイズをもつデータをｅＮＢ８０５Ａから受信し、第２のバンドリングサイズがしきい値超だけ第１のバンドリングサイズと異なるかどうかを決定する。ＭＴＣ  ＵＥ８０３Ａは、次いで、第２のバンドリングサイズがしきい値超だけ第１のバンドリングサイズと異なると決定した後に、ＣＳＩを送る。しきい値Ｔはバンドリングサイズ差に対応し得る。したがって、第１のバンドリングサイズと第２のバンドリングサイズとの間の差がしきい値Ｔよりも大きいとき、ＭＴＣ  ＵＥ８０３Ａは、ｅＮＢ８０５ＡにＣＳＩを送ることを決定し得る。
【００５９】
[0080]  一構成では、ｅＮＢ８０５Ａは、特定のＭＣＳを用いたアップリンク送信のためにＭＴＣ  ＵＥ８０３Ａをスケジュールする。ｅＮＢ８０５Ａは、ＭＴＣ  ＵＥ８０３ＡとｅＮＢ８０５Ａとの間のＵＬチャネルを決定する。ＵＬチャネルは、ＭＴＣ  ＵＥ８０３Ａから受信された基準信号、および／またはｅＮＢがバンドルされたＴＴＩ送信を早期に復号することができるかどうかに基づき得る。ｅＮＢ８０５Ａは、決定されたアップリンクチャネルに基づいて、予想されるＭＣＳおよび／またはＴＴＩバンドリングサイズを決定し得る。ＭＴＣ  ＵＥ８０３Ａから受信されている現在のＭＣＳおよび／またはＴＴＩバンドリングサイズが（たとえば、変調次数（たとえば、ＱＰＳＫ）、ＭＣＳ、またはＴＴＩバンドリングサイズのうちの少なくとも１つの関数であり得る、しきい値Ｔに基づく）予想される値と著しく異なる場合、ｅＮＢ８０５Ａは、後続の送信のためにＵＬ送信ＭＣＳおよび／またはＴＴＩバンドリングサイズを調整するようにＭＴＣ  ＵＥ８０３Ａに要求するＤＬ送信パケットのＭＡＣヘッダ中の情報をＭＴＣ  ＵＥ８０３Ａに送り得る。
【００６０】
[0081]  図８Ｂは、第２の例示的な方法を示すための図８３０である。第２の例示的な方法では、ＭＴＣ  ＵＥ８０４がＴＴＩバンドルのサブセットを復号することができるとき、ｅＮＢ８０５Ｂは長いＴＴＩバンドルを送信し、ＭＴＣ  ＵＥ８０３Ｂは、早期に終了するために肯定応答を送る。ｅＮＢ８０５Ｂは、早期終了統計値（たとえば、ＭＴＣ  ＵＥ８０３Ｂによって受信されたＴＴＩバンドリング送信の割合）に基づいてチャネル状態に適応する。したがって、第２の例示的な方法では、ＭＴＣ  ＵＥ８０３ＢはＣＳＩを決定するまたは送る必要がない。図８Ｂに示されているように、ＭＴＣ  ＵＥ８０３Ｂは、８３１において、ｅＮＢ８０５ＢからＴＴＩバンドリング送信を受信し、８３３において、ＴＴＩバンドリング送信のサブセットを復号する。ＭＴＣ  ＵＥ８０３ＢがＴＴＩバンドリング送信のサブセットを復号するとき、ＭＴＣ  ＵＥ８０３Ｂは、８３５において、ＴＴＩバンドリング送信を早期に終了するためにｅＮＢ８０５Ｂに肯定応答を送る。ＣＳＩは、ＭＴＣ  ＵＥ８０３Ｂによって受信されたＴＴＩバンドリング送信の割合でもｅＮＢ８０５Ｂに示される。したがって、ｅＮＢ８０５Ｂは、ＵＥによって受信されたＴＴＩバンドリング送信の割合に基づいてＣＳＩを決定し、８３７において、決定されたＣＳＩに適したＭＣＳを選択することによってこのＣＳＩのチャネル状態に適応することができる。たとえば、ＭＴＣ  ＵＥ８０３Ｂによって受信されたＴＴＩバンドリング送信の割合が低い場合、これは、ＭＴＣ  ＵＥ８０３ＢがＴＴＩバンドリング送信のサブセットを早期に復号することが可能であったこと、したがってチャネルが良好であることをｅＮＢ８０５Ｂに示す。ｅＮＢ８０５Ｂはまた、８３９において、ＭＣＳを用いて変調され、コーディングされたデータをＭＴＣ  ＵＥ８０３Ｂに送信し得、ここで、ＭＣＳは、ＭＴＣ  ＵＥ８０３Ｂによって受信されたＴＴＩバンドリング送信の割合に基づく。８３９において、データのＴＴＩバンドリングサイズはまた、ＭＴＣ  ＵＥ８０３Ｂによって受信されたＴＴＩバンドリング送信の割合に基づき得る。
【００６１】
[0082]  デフォルトビヘイビア（default behavior）では、ｅＮＢ８０５Ｂは、ＤＬ送信のためにデフォルトバンドリングサイズとＭＣＳとを使用し、可能な早期終了のためにＭＴＣ  ＵＥ８０３Ｂからの肯定応答を監視し得る。たとえば、ｅＮＢ８０５Ｂは、１００個のサブフレーム（１００個のＴＴＩ）のデフォルトバンドリングサイズを初めに使用し得る。ＭＴＣ  ＵＥ８０３Ｂが１０個のサブフレームの後に早期に終了し、ｅＮＢ８０５Ｂに早期終了を通知する場合、ｅＮＢ８０５Ｂは、ＭＴＣ  ＵＥ８０３Ｂが送信のちょうど１０％を受信した後に送信を復号したと決定し得る。ｅＮＢ８０５Ｂは、次いで、後続のＴＴＩバンドルデータ送信のためにＭＣＳを増加させ、１０個のＴＴＩにわたってＴＴＩバンドルデータ送信を送り得る。
【００６２】
[0083]  さらに、半二重動作またはＴＤＤのために、バンドリング動作はＤＬおよびＵＬ方向変更を上書きすることができる。たとえば、ＴＴＩバンドルの１０ミリ秒のＤＬがある場合、ＤＬ送信のすべての１０ミリ秒は、ＵＬに方向を変更することなしに完了され得る。
【００６３】
[0084]  一構成では、ｅＮＢ８０５Ｂは、ＭＴＣ  ＵＥ８０３Ｂに第１のＴＴＩバンドリング送信を送る。ｅＮＢ８０５Ｂは、ＴＴＩバンドリング送信が早期に終了されたという肯定応答をＵＥから受信し、ＭＴＣ  ＵＥ８０３Ｂによって受信された第１のＴＴＩバンドリング送信の割合に基づいてＭＣＳを決定する。ｅＮＢ８０５Ｂは、第１のＴＴＩバンドリング送信の割合に基づいて決定されたＭＣＳを用いて変調され、コーディングされた第２のＴＴＩバンドリング送信をＭＴＣ  ＵＥ８０３Ｂに送る。
【００６４】
[0085]  図８Ｃは、第３の例示的な方法を示すための図８５０である。第３の例示的な方法では、ＭＴＣ  ＵＥ８０３Ｃは、ＵＬチャネルを介してワンショット信号（one-shot signal）（たとえば、ワンショットサウンディング基準信号（ＳＲＳ））をｅＮＢ８０５Ｃに送信し、ｅＮＢ８０５Ｃは、ＵＬ経路損失に応じてＭＣＳ／バンドリングサイズを調整する。したがって、この実施形態では、ＭＴＣ  ＵＥ８０３Ｃは、ＣＳＩを計算し、ＣＳＩをｅＮＢ８０５Ｃに与える必要がない。図８Ｃに示されているように、ＭＴＣ  ＵＥ８０３Ｃは、８５１において、ｅＮＢ８０５ＣにＵＬ送信を送る。ＵＬ送信に基づいて、ｅＮＢ８０５Ｃは、８５３において、ＭＣＳおよび／またはＴＴＩバンドリングサイズを決定する。ｅＮＢ８０５Ｃは、次いで、８５５において、ＭＴＣ  ＵＥ８０３Ｃにデータを送信する。ＭＴＣ  ＵＥ８０３Ｃによって受信されたこのデータ送信は、ＵＬ送信に基づいて決定されたＭＣＳおよび／またはＴＴＩバンドリングサイズを有する。ｅＮＢ８０５Ｃは、ＤＬチャネル推定ではなくＵＬチャネル推定に基づいてＭＣＳを決定しているので、第３の例示的な方法は、ＴＤＤのためにのみ使用され得る（ＵＬチャネル推定はＤＬチャネル推定と同じサブキャリアに基づく）。
【００６５】
[0086]  一構成では、ｅＮＢ８０５Ｃは、ＭＴＣ  ＵＥ８０３Ｃからアップリンク送信を受信し、受信されたアップリンク送信に基づいてＭＣＳを決定し、および／または受信されたアップリンク送信に基づいてＴＴＩバンドリングサイズを決定する。ｅＮＢ８０５Ｃは、決定されたＭＣＳおよび／または決定されたＴＴＩバンドリングサイズを用いてＭＴＣ  ＵＥ８０３Ｃにデータ送信を送る。
【００６６】
[0087]  図８Ｄは、第４の例示的な方法を示すための図８７０である。初期接続セットアップ中に（たとえば、ＲＡＣＨプロシージャにおいて）、ＭＴＣ  ＵＥ８０３ＤはｅＮＢ８０５ＤにＣＳＩを搬送し得る。８７１において、ＭＴＣ  ＵＥ８０３ＤはｅＮＢ８０５Ｄから基準信号を受信する。８７１における基準信号に基づいて、ＭＴＣ  ＵＥ８０３ＤはｅＮＢ８０５ＤとＭＴＣ  ＵＥ８０３Ｄとの間のチャネルを推定する。８７３において、ＭＴＣ  ＵＥ８０３Ｄは、次いで、ｅＮＢ８０５ＤとＭＴＣ  ＵＥ８０３Ｄとの間の推定されたチャネルに対応するＣＳＩを決定する。ＭＴＣ  ＵＥ８０３Ｄは複数のサブフレームの各々中でチャネルを推定し得る。ＭＴＣ  ＵＥ８０３Ｄは複数のサブフレームにわたってチャネル推定値を平均化し得る。ＣＳＩを決定した後、８７５において、ＭＴＣ  ＵＥ８０３Ｄは、しきい値Ｔ２および／またはタイマーに基づいて、ｅＮＢ８０５ＤにＣＳＩを送るべきかどうかを決定する。たとえば、ＣＳＩがしきい値Ｔ２超だけ基準ＣＳＩと異なる（ＤCSI≧Ｔ２、ここで、ＤCSIは基準ＣＳＩとＣＳＩとの間の差である）場合、ＭＴＣ  ＵＥ８０３はｅＮＢ８０５ＤにＣＳＩを送り得る。言い換えれば、ＣＳＩと基準ＣＳＩとの間の差がしきい値Ｔ２よりも大きい場合、ＭＴＣ  ＵＥ８０３Ｄは、ｅＮＢ８０５ＤにＣＳＩを送ることを決定し得る。別の例では、ＭＴＣ  ＵＥ８０３Ｄは、ＣＳＩを送るとタイマーを設定し得る。タイマーが満了したとき、ＭＴＣ  ＵＥ８０３Ｄは、ｅＮＢ８０５ＤにＣＳＩを送ることを決定し得る。ＭＴＣ  ＵＥ８０３Ｄはしきい値Ｔ２とタイマーの両方を利用し得る。そのような構成では、ＣＳＩと基準ＣＳＩとの間の差がしきい値Ｔ２よりも大きいとき、およびＣＳＩと基準ＣＳＩとの間の差がしきい値Ｔ２よりも大きくない場合でも、タイマーの満了時に、ＭＴＣ  ＵＥ８０３Ｄは、ＣＳＩを送ることを決定する。ＭＴＣ  ＵＥ８０３Ｄが送ることを決定した場合、８７７において、ＭＴＣ  ＵＥ８０３は、ｅＮＢ８０５ＤにＣＳＩを送る。８７７において、ＭＴＣ  ＵＥ８０３ＤはＭＡＣヘッダ中でＣＳＩを送り得る。第４の例示的な方法によれば、ＣＳＩフィードバックが必要とされるときのみおよび／またはタイマーの満了時に（たとえば、ＣＳＩがしきい値Ｔ２超だけ基準ＣＳＩと異なり、および／またはタイマーが満了したとき）、ＭＴＣＵＥ８０３ＤはＣＳＩフィードバックを与え得る。タイマーに基づいて、必要なときのみ、またはまれにＣＳＩフィードバックを与えることは、電力およびＵＬリソースを節約する。
【００６７】
[0088]  ＭＴＣ  ＵＥ８０３Ｄが、しきい値Ｔ２に基づいてｅＮＢ８０５ＤにＣＳＩを送ることを決定することは、ＣＳＩと基準ＣＳＩとの間の差に依存し得る。ＣＳＩは、ＣＱＩ、ＲＩ、ＰＭＩ、ＭＣＳ、および／または経路損失を含み得る。したがって、ＣＳＩはＣＱＩインデックスに対応し得る。たとえば、ＣＳＩが４のＣＱＩインデックスに対応し、基準ＣＳＩが８のＣＱＩインデックスに対応すると仮定する。その場合、４のＣＱＩインデックスをもつＣＳＩと８のＣＱＩインデックスをもつ基準ＣＳＩとの間の差は４である。第１のシナリオでは、しきい値Ｔ２が３よりも小さいかまたはそれに等しい場合、しきい値Ｔ２は、４のＣＱＩインデックスをもつＣＳＩと８のＣＱＩインデックスをもつ基準ＣＳＩとの間の差よりも小さい。したがって、ＭＴＣ  ＵＥ８０３Ｄは、ＣＳＩと基準ＣＳＩとの間の差がしきい値Ｔ２よりも大きく、したがってＣＳＩが基準ＣＳＩから著しく逸脱すると決定する。その結果、第１のシナリオでは、ＭＴＣ  ＵＥ８０３Ｄは、ｅＮＢ８０５ＤにＣＳＩを送ることを決定する。一方、第２のシナリオでは、しきい値Ｔ２が５よりも大きいかまたはそれに等しい場合、４のＣＱＩインデックスをもつＣＳＩと８のＣＱＩインデックスをもつ基準ＣＳＩとの間の差がしきい値Ｔ２よりも大きくないので、ＭＴＣ  ＵＥ８０３Ｄは、ＣＳＩが基準ＣＳＩから著しく逸脱しないと決定する。したがって、第２のシナリオでは、ＭＴＣ  ＵＥ８０３Ｄは、ｅＮＢ８０５ＤにＣＳＩを送らないことを決定する。
【００６８】
[0089]  一例では、基準ＣＳＩは、８７３においてＣＳＩを決定するより前に、ＵＥ８０３ＤがｅＮＢ８０５Ｄに前に報告したＣＳＩであり得る。たとえば、８７３においてＣＳＩを決定するより前に、ＭＴＣ  ＵＥ８０３Ｄは、ｅＮＢ８０５Ｄから受信された前に受信された基準信号に基づいてＣＳＩを決定し、基準ＣＳＩをｅＮＢ８０５Ｄに報告し得る。したがって、前に報告されたＣＳＩが基準ＣＳＩとして使用されるとき、基準ＣＳＩは、ｅＮＢ８０５Ｄから受信された基準信号に応じて変動する。別の例では、基準ＣＳＩは、基準ＣＳＩとして固定値を含む固定ＣＳＩであり得る。別の例では、基準ＣＳＩは経路損失（たとえば、ＤＬ経路損失）に基づき得る。一態様では、現在の経路損失と基準経路損失（たとえば、基準ＣＳＩ中に含まれる経路損失）との間の差は、経路損失情報としてＣＳＩ中に含まれ得る。
【００６９】
[0090]  別の例では、ＭＴＣ  ＵＥ８０３Ｄは、ｅＮＢ８０５Ｄから受信されたデータ送信のＭＣＳに基づいて基準ＣＳＩを決定し得る。基準ＣＳＩは、ＭＣＳとＣＳＩとの間のマッピングに基づいて決定され得る。たとえば、４のＣＱＩインデックスをもつ基準ＣＳＩは、０．０３のコードレートをもつＱＰＳＫに対応し得、８のＣＱＩインデックスをもつ基準ＣＳＩは、０．４８のコードレートをもつ１６ＱＡＭに対応し得る。したがって、ｅＮＢ８０５Ｄから受信されたデータ送信のＭＣＳが約０．４８のコードレートをもつ１６ＱＡＭである場合、ＭＴＣ  ＵＥ８０３Ｄは、基準ＣＳＩが８のＣＱＩインデックスに対応すると決定する。
【００７０】
[0091]  上記で説明したように、ＭＴＣ  ＵＥ８０３Ｄは、チャネルの長期平均化を実行するが、ＣＳＩが基準ＣＳＩから著しく逸脱する場合のみ、ｅＮＢ８０５ＤにＣＳＩを送り得る。したがって、ＭＴＣ  ＵＥ８０３Ｄは、複数のサブフレームにわたってｅＮＢ８０５ＤとＭＴＣ  ＵＥ８０３Ｄとの間のチャネルを平均化し、基準ＣＳＩとＣＳＩとがしきい値Ｔ２だけ異なる場合のみ、ＣＳＩフィードバックを送り得る。したがって、ＣＳＩフィードバックはイベント駆動型である。しきい値Ｔ２が４に設定され、基準ＣＳＩが８のＣＱＩインデックスに対応する例では、ＭＴＣ  ＵＥ８０３Ｄが、１５のＣＱＩインデックスをもつＣＳＩを決定した場合、ＣＳＩのＣＱＩインデックスが、基準ＣＳＩの８のＣＱＩインデックスよりも著しく良い（すなわち、ＣＱＩインデックス１５−ＣＱＩインデックス８≧４）ので、ＭＴＣ  ＵＥ８０３Ｄは、ｅＮＢ８０５ＤにＣＳＩフィードバックを送ることを決定し得る。別の例の場合、ＭＴＣ  ＵＥ８０３Ｄが、３のＣＱＩインデックスをもつＣＳＩを決定した場合、ＣＳＩのＣＱＩインデックスが、基準ＣＳＩの８のＣＱＩインデックスよりも著しく悪い（すなわち、ＣＱＩインデックス８−ＣＱＩインデックス３≧４）ので、ＭＴＣ  ＵＥ８０３Ｄは、ｅＮＢ８０５ＤにＣＳＩフィードバックを送ることを決定し得る。
【００７１】
[0092]  ＭＴＣ  ＵＥ８０３ＤがｅＮＢ８０５ＤにＣＳＩフィードバックを送ることを決定すると、ＭＴＣ  ＵＥ８０３Ｄは次のＵＬ送信までＣＳＩフィードバックを記憶し得る。第１の構成では、ＭＴＣ  ＵＥ８０３Ｄは、ｅＮＢ８０５Ｄに送られたスケジュールされたＵＬデータ（ＰＵＳＣＨ）送信内のＭＡＣヘッダ中にＣＳＩを含み得る。第２の構成では、スケジュールされたＰＵＳＣＨ送信はないが、ＭＴＣ  ＵＥ８０３Ｄが、ｅＮＢ８０５Ｄに送信すべきＢＳＲを有する（すなわち、ＭＴＣ  ＵＥ８０３Ｄが、送信すべきデータを有する）場合、ＭＴＣ  ＵＥ８０３Ｄは、ＢＳＲを含むＵＬ  ＰＵＳＣＨ送信を用いてＭＡＣヘッダ中でＣＳＩを送り得る。ＢＳＲはＭＴＣ  ＵＥ８０３Ｄのバッファ中のデータの量をｅＮＢ８０５Ｄに示す。ＭＴＣＨ  ＵＥ８０３Ｄが、ｅＮＢ８０５Ｄに送るべきＢＳＲを有する場合、ＭＴＣ  ＵＥ８０３Ｄは、ＢＳＲを送るためのＵＬリソースを要求するＳＲをｅＮＢ８０５Ｄに送る。第２の構成では、ＭＴＣ  ＵＥ８０３Ｄは、ＢＳＲに割り振られたリソース中でＣＳＩとＢＳＲとを送る。
【００７２】
[0093]  第３の構成では、ＭＴＣ  ＵＥ８０３Ｄが、スケジュールされたＵＬ送信（たとえば、ＰＵＳＣＨ送信）を有せず、ｅＮＢ８０５Ｄに送信すべきＢＳＲを有しない場合、ＭＴＣ  ＵＥ８０３Ｄは、ｅＮＢ８０５Ｄに更新されたＣＳＩを送るために、ＳＲを送るか、またはＲＡＣＨプロシージャ（procedure）を実行し得る。第３の構成では、ＭＴＣ  ＵＥ８０３Ｄは、タイマーおよび／またはしきい値Ｔ２に基づいて、ＣＳＩを送ることを決定すると、ＣＳＩを送るための要求をｅＮＢ８０５Ｄに送り得る。ＭＴＣ  ＵＥ８０３Ｄは、要求に基づくｅＮＢ８０５Ｄからの応答を受信し、受信された応答に基づいてＣＳＩを送り得る。応答はＵＬ許可であり得る。その後、ＭＴＣ  ＵＥ８０３Ｄは、ＵＬ許可のスケジュールされたＰＵＳＣＨ中でＣＳＩを送り得る。ＭＴＣ  ＵＥ８０３Ｄは、ＵＬ許可のスケジュールされたＰＵＳＣＨのＭＡＣヘッダ中で、またはＵＬ許可のスケジュールされたＰＵＳＣＨのペイロード部分中でＣＳＩを送り得る。一態様では、ＭＴＣ  ＵＥ８０３Ｄは、ＲＡＣＨプロシージャのメッセージ３（ｍｓｇ３）またはメッセージ５（ｍｓｇ５）中でＣＳＩを送り得る。一構成では、要求はＳＲであり得、受信された応答はＵＬ許可であり得る。したがって、たとえば、ＣＳＩがしきい値Ｔ２超だけ基準ＣＳＩと異なり、および／またはタイマーが満了し、ＭＴＣ  ＵＥ８０３Ｄが、スケジュールされたＰＵＳＣＨ送信を有せず、ＭＴＣ  ＵＥ８０３Ｄが、ｅＮＢ８０５Ｄに送信すべきＢＳＲを有しないとき、ＣＳＩを送るためのＵＬリソースを与えるようにｅＮＢ８０５Ｄに要求するために、ＳＲがトリガされ得る。別の構成では、要求および応答はＲＡＣＨプロシージャに関連付けられ得る。ＭＴＣ  ＵＥ８０３Ｄにおいて受信された応答はＵＬ許可であり得る。したがって、要求はランダムアクセスプリアンブルであり得、応答はランダムアクセス応答であり得る。したがって、たとえば、ＣＳＩがしきい値Ｔ２超だけ基準ＣＳＩと異なり、および／またはタイマーが満了し、ＭＴＣ  ＵＥ８０３Ｄが、スケジュールされたＰＵＳＣＨ送信を有せず、ＭＴＣ  ＵＥ８０３Ｄが、ｅＮＢ８０５Ｄに送信すべきＢＳＲを有しないとき、ＭＴＣ  ＵＥ８０３Ｄは、ＲＡＣＨプロシージャを実行し、ｅＮＢ８０５Ｄにランダムアクセスプリアンブルを送り得る。ＭＴＣ  ＵＥ８０３Ｄは、次いで、ｅＮＢ８０５Ｄからランダムアクセス応答を受信し得る。受信されたランダムアクセス応答に基づいて、ＭＴＣ  ＵＥ８０３ＤはｅＮＢ８０５ＤにＣＳＩを送り得る。また別の構成では、ＭＴＣ  ＵＥ８０３Ｄは、ＣＳＩに基づいてＲＡＣＨプロシージャのためのＲＡＣＨフォーマットを選択し、ＲＡＣＨプロシージャ中で選択されたＲＡＣＨフォーマットを通してｅＮＢ８０５ＤにＣＳＩを示す。ＭＴＣ  ＵＥ８０３Ｄは、ランダムアクセスプリアンブル中の選択されたＲＡＣＨフォーマットを通して、および／またはランダムアクセス応答に対する応答中の選択されたＲＡＣＨフォーマットを通してＣＳＩを示し得る。
【００７３】
[0094]  第４の構成では、ＭＴＣ  ＵＥ８０３Ｄは、非周期ＣＱＩ送信を通してｅＮＢ８０５ＤにＣＳＩを送り得る。第４の構成では、ＭＴＣ  ＵＥ８０３ＤはｅＮＢ８０５ＤからＵＬ許可を受信し、ＵＬ許可は、ＣＳＩが割り振られたＵＬリソース中で送られるべきであることを詳細に示す。ＭＴＣ  ＵＥ８０３Ｄは、割り振られたＵＬリソース中でＣＳＩフィードバックを送信する。
【００７４】
[0095]  第５の構成では、ＵＬ送信がない場合、ｅＮＢ８０５Ｄは、ＣＳＩフィードバックを送るためのＵＬ許可をＭＴＣ  ＵＥ８０３Ｄに時々送り得る。したがって、ＭＴＣ  ＵＥ８０３Ｄが、しきい値時間期間よりも大きい時間期間の間にＣＳＩを送らなかったとき、ｅＮＢ８０５ＤはＵＬ許可を送り得る。ＭＴＣ  ＵＥ８０３Ｄは、ｅＮＢ８０５ＤからＵＬ許可を受信し、ｅＮＢ８０５Ｄからの受信されたＵＬ許可に基づいてｅＮＢ８０５ＤにＣＳＩを送り得る。このプロシージャは監視プロシージャに結合され得る。
【００７５】
[0096]  ＣＳＩフィードバックを報告するためのいくつかの手法がある。第１の手法では、ＭＴＣ  ＵＥ８０３Ｄは、（電力最適化のために）複数のサブフレームにわたる最低品質チャネル推定値に基づいてＣＳＩを決定し、最も悪いＣＳＩを報告し得る。第２の手法では、ＭＴＣ  ＵＥ８０３Ｄは、（スペクトル効率最適化のために）複数のフレームにわたる推定されたチャネルの平均に基づいてＣＳＩを決定し、平均ＣＳＩを報告し得る。第３の手法では、ＭＴＣ  ＵＥ８０３Ｄは、（ｅＮＢスケジューリングフレキシビリティのために）最も悪いケースのＣＳＩと平均ＣＳＩの両方を決定し、より悪いケースのＣＳＩと平均ＣＳＩの両方を報告し得る。第４の手法では、ＭＴＣ  ＵＥ８０３Ｄは、複数のサブフレームの推定されたチャネルのうちのチャネルの１つの推定値に基づいてＣＳＩを決定し得る。第５の手法では、ＭＴＣ  ＵＥ８０３Ｄは、ＣＳＩをどのように決定すべきかを示す構成を受信し、次いで、受信された構成に基づいてＣＳＩを決定し得る。構成は、第１〜第４の手法のうちの１つを使用することをＭＴＣ  ＵＥ８０３Ｄに示し得るか、またはＣＳＩフィードバックを報告するための異なる手法を使用することをＭＴＣ  ＵＥ８０３Ｄに示し得る。
【００７６】
[0097]  ＭＢＳＦＮブロードキャストがデータ送信のために使用される場合、ＭＴＣ  ＵＥ８０３Ｄは、ＭＢＳＦＮサブフレームを示す情報を受信し、受信された情報に基づいてＣＳＩを決定し得る。したがって、ＭＴＣ  ＵＥ８０３Ｄは、マルチキャスト／ブロードキャストを使用して送信されるサブフレームを通知され得、ＭＴＣ  ＵＥ８０３Ｄは、それらのサブフレームについてＣＳＩフィードバックを別様に扱い得る。たとえば、ＭＴＣ  ＵＥ８０３Ｄがマルチキャスト／ブロードキャストデータを受信する場合、受信されたマルチキャスト／ブロードキャストデータに基づいて決定されたＣＳＩフィードバックは、受信されたユニキャストデータに基づいて決定されたＣＳＩフィードバックよりも良いことがある。したがって、ＭＴＣ  ＵＥ８０３Ｄは、マルチキャスト／ブロードキャストデータに基づいてチャネル推定値を調整または無視し得る。
【００７７】
[0098]  分離されたＤＬおよびＵＬ動作がＭＴＣ  ＵＥ８０３Ｄのために使用される場合、ｅＮＢ８０５Ｄ中の１つのセルはＤＬに専用であり得、ｅＮＢ８０５Ｄ中の別のセルはＵＬに専用であり得る。この場合、ＭＴＣ  ＵＥ８０３Ｄは、ｅＮＢ８０５Ｄの第１のセルからデータを受信し、ｅＮＢ８０５Ｄの第２のセルにＣＳＩを送り得、ここで、第２のセルは第１のセルとは異なる。ｅＮＢ８０５Ｄの第１のセルはＤＬサービングセルであり得、ｅＮＢ８０５Ｄの第２のセルはＵＬサービングセルであり得る。
【００７８】
[0099]  上記で説明したように、ＭＴＣ  ＵＥ８０３Ｄは、ＣＳＩに基づいてＲＡＣＨプロシージャのためのＲＡＣＨフォーマットを選択し得る。ＭＴＣ  ＵＥ８０３Ｄは、ＲＡＣＨプロシージャを通してＣＳＩを送り、選択されたＲＡＣＨフォーマットを通してＣＳＩを示す。言い換えれば、ＭＴＣ  ＵＥ８０３Ｄは、ＲＡＣＨのフォーマットがｅＮＢ８０５ＤにＣＳＩを示すように、ｅＮＢ８０５Ｄにそれの無線状態を示すためにＲＡＣＨフォーマット（たとえば、ＲＡＣＨバンドルの異なる長さ）を選択し得る。たとえば、チャネルが不良状態にある場合、ＭＴＣ  ＵＥ８０３Ｄは、より長い送信時間をもつＲＡＣＨを選択し得る。より長い送信時間のこのＲＡＣＨフォーマットは、チャネルが不良状態にあることをｅＮＢ８０５Ｄに示す。一方、たとえば、チャネルが良好状態にある場合、ＭＴＣ  ＵＥ８０３ＤはコンパクトなＲＡＣＨチャネルを選択し得、このＲＡＣＨフォーマットは、チャネルが良好状態にあることをｅＮＢ８０５Ｄに示す。ＲＡＣＨフォーマットに応じて、ｅＮＢ８０５Ｄは、後続のＤＬ送信（たとえば、バンドリングをもつｍｓｇ２）のために適切なＭＣＳとバンドリングサイズとを選択し得る。
【００７９】
[00100]  初期ＲＡＣＨプロシージャのために、ＭＴＣ  ＵＥ８０３Ｄは、ＤＬ経路損失を測定し、経路損失に応じて、（フォーマットとも呼ばれる）複数のＲＡＣＨシーケンス／シグネチャのうちの１つを選択する。ＭＴＣ  ＵＥ８０３Ｄが通常ＲＡＣＨ送信を選択する場合、ＭＴＣ  ＵＥ８０３Ｄ（ｍｓｇ３およびｍｓｇ５）とｅＮＢ８０５Ｄ（ｍｓｇ２およびｍｓｇ４）とによる後続の送信はＴＴＩバンドリングを使用しない。ＭＴＣ  ＵＥ８０３Ｄが、長いＴＴＩをもつバンドルされたＲＡＣＨ送信を選択する場合、ＭＴＣ  ＵＥ８０３Ｄ（ｍｓｇ３およびｍｓｇ５）とｅＮＢ８０５Ｄ（ｍｓｇ２およびｍｓｇ４）とによる後続の送信は、ＴＴＩバンドリングをもつ最低ＭＣＳ（たとえば、ＢＰＳＫ）を使用する。
【００８０】
[00101]  ＣＳＩフィードバックは他の報告と組み合わせられ得る。１つの手法では、ＭＴＣ  ＵＥ８０３Ｄは、ｅＮＢ８０５Ｄから周期的な監視メッセージを受信し、受信された周期的な監視メッセージに基づいてｅＮＢ８０５Ｄに応答を送り得、ここで、ＣＳＩは応答とともに送られる。ＭＴＣ  ＵＥ８０３Ｄがアクセス可能であるかどうか、またはＭＴＣ  ＵＥ８０３Ｄがカバレージ外にまたは（たとえば、バッテリー不良により）サービス外にあるかどうかを決定するために、周期的な監視が必要とされ得る。したがって、ＭＴＣ  ＵＥ８０３Ｄに周期的な監視メッセージを送り、ＭＴＣ  ＵＥ８０３Ｄから応答を受信することによって、ｅＮＢ８０５Ｄは、ＭＴＣ  ＵＥ８０３Ｄが動作しているかどうかを決定することができる。たとえば、ｅＮＢ８０５Ｄは周期的な監視メッセージを送り得、ＭＴＣ  ＵＥ８０３Ｄが要求に応答して肯定応答を返送する場合、ｅＮＢ８０５Ｄは、ＭＴＣ  ＵＥ８０３Ｄがアクセス可能であると決定し得る。ＭＴＣ  ＵＥ８０３Ｄはまた、監視要求に対する肯定応答とともにＣＳＩフィードバックを送り得る。
【００８１】
[00102]  ＣＳＩを他の報告と組み合わせるための別の手法では、ＭＴＣ  ＵＥ８０３Ｄは、ＲＳＲＱおよび／またはＲＳＲＰを決定し、ｅＮＢ８０５ＤにＲＳＲＰおよび／またはＲＳＲＱを送り得、ここで、ＣＳＩはＲＳＲＰおよび／またはＲＳＲＱとともに送られる。したがって、この手法によれば、ＭＴＣ  ＵＥ８０３Ｄは、ＲＳＲＰおよび／またはＲＳＲＱを測定し得、次いで、ＭＴＣ  ＵＥ８０３ＤがｅＮＢ８０５Ｄに測定されたＲＳＲＰ／ＲＳＲＱを報告するとき、ＭＴＣ  ＵＥ８０３Ｄは、ＣＳＩ報告をＲＳＲＰ／ＲＳＲＱ報告と組み合わせ、ｅＮＢ８０５Ｄに組み合わせられた報告を送り得る。ＲＳＲＰ／ＲＳＲＱ報告はイベント駆動型であり得る。さらに、長期ＣＳＩ報告はＲＳＲＰ／ＲＳＲＱ報告と組み合わせられ得る。
【００８２】
[00103]  図９は、ワイヤレス通信の第１の方法のフローチャート９００である。本方法はＵＥによって実行され得る。ステップ９０２において、ＵＥは、複数のサブフレームの各々中で基地局とＵＥとの間のチャネルを推定する。チャネルは、複数のサブフレームにわたって平均化され得る。ステップ９０４において、ＵＥは、基地局とＵＥとの間の推定されたチャネルに対応する第１のＭＣＳを決定する。ステップ９０６において、ＵＥは、基地局から第２のＭＣＳを用いて変調され、コーディングされたデータを受信する。ステップ９０８において、ＵＥは、第２のＭＣＳがしきい値超だけ第１のＭＣＳと異なるかどうかを決定する。ＵＥが、第２のＭＣＳがしきい値超だけ第１のＭＣＳと異ならないと決定した場合、ＵＥはステップ９０２に戻る。ＵＥが、第２のＭＣＳがしきい値超だけ第１のＭＣＳと異なると決定した場合、ステップ９１２において、ＵＥはＣＳＩを決定する。ＵＥは、ステップ９１０において受信された構成に基づいてステップ９１２においてＣＳＩを決定する。ステップ９１４において、ＵＥは、第２のＭＣＳがしきい値超だけ第１のＭＣＳと異なると決定した後に、ＣＳＩを送る。ステップ９１４において、ＣＳＩは、スケジュールされたＵＬデータ送信内のＭＡＣヘッダ中で送られ得る。ステップ９１４において、ＣＳＩは、バッファステータス報告をもつＵＬ送信内のＭＡＣヘッダ中で送られ得る。
【００８３】
[00104]  たとえば、図８Ａを参照すると、ＭＴＣ  ＵＥ８０３Ａは、複数のサブフレームの各々中でｅＮＢ８０５ＡとＭＴＣ  ＵＥ８０３Ａとの間のチャネルを推定する。チャネルは、複数のサブフレームにわたって平均化され得る。ＭＴＣ  ＵＥ８０３Ａは、ｅＮＢ８０５ＡとＭＴＣ  ＵＥ８０３Ａとの間の推定されたチャネルに対応する第１のＭＣＳを決定する。ＭＴＣ  ＵＥ８０３Ａは、ｅＮＢ８０５Ａから第２のＭＣＳを用いて変調され、コーディングされたデータを受信する。ＭＴＣ  ＵＥ８０３Ａは、第２のＭＣＳがしきい値超だけ第１のＭＣＳと異なるかどうかを決定する。ＭＴＣ  ＵＥ８０３Ａが、第２のＭＣＳがしきい値超だけ第１のＭＣＳと異ならないと決定した場合、ＭＴＣ  ＵＥ８０３Ａは、複数のサブフレームの各々中でｅＮＢ８０５ＡとＭＴＣ  ＵＥ８０３Ａとの間のチャネルを推定することに戻る。ＭＴＣ  ＵＥ８０３Ａが、第２のＭＣＳがしきい値超だけ第１のＭＣＳと異なると決定した場合、ＭＴＣ  ＵＥ８０３Ａは、ＣＳＩを決定し、ＣＳＩフィードバック方法に従って次の利用可能な機会においてＣＳＩを送る。
【００８４】
[00105]  一構成では、ＵＥは、第２のＭＣＳがしきい値超だけ第１のＭＣＳと異なると決定すると、ＣＳＩを送るための要求を基地局に送り、要求に基づく基地局からの応答を受信する。ＵＥは、受信された応答に基づいて基地局にＣＳＩを送り得る。要求はスケジューリング要求であり得、応答はＵＬ許可であり得る。スケジューリング要求は、ＣＳＩを送るためのＵＬリソースを要求し得る。ＵＥは、要求されたＵＬリソース中でＣＳＩを送り得る。要求はランダムアクセスプリアンブルであり得、応答はランダムアクセス応答であり得る。
【００８５】
[00106]  一構成では、ＵＥは基地局からＵＬ許可を受信する。ＵＬ許可はＣＳＩを要求する。ＵＥは、受信されたＵＬ許可に基づいてＣＳＩを送る。一構成では、ＵＥは基地局からＵＬ許可を受信する。ＵＬ許可は、ＣＳＩが、しきい値よりも大きい時間期間の間に送られないときに受信される。ＵＥは、受信されたＵＬ許可に基づいてＣＳＩを送り得る。一構成では、推定されたチャネルは、複数のサブフレームにわたって平均化される。一構成では、ＵＥは、複数のサブフレームの各々中でチャネルを推定し、複数のサブフレームにわたる最低品質チャネル推定値に基づいてＣＳＩを決定する。一構成では、ＵＥは、複数のサブフレームの各々中でチャネルを推定し、複数のサブフレームにわたる推定されたチャネルの平均に基づいてＣＳＩを決定する。一構成では、ＣＳＩは、最低品質チャネル推定値に対応する第１のＣＳＩと、平均チャネル推定値に対応する第２のＣＳＩとを含む。一構成では、ＵＥは、複数のサブフレームの各々中でチャネルを推定し、チャネルの１つの推定値に基づいてＣＳＩを決定する。一構成では、ＵＥは、ＣＳＩをどのように決定すべきかを示す構成を受信し、受信された構成に基づいてＣＳＩを決定する。一構成では、ＵＥは、ＭＢＳＦＮサブフレームを示す情報を受信し、受信された情報に基づいてＣＳＩを決定する。一構成では、データは基地局の第１のセルから受信され、ＣＳＩは、基地局の第１のセルとは異なる第２のセルに送られる。一構成では、ＵＥは、ＣＳＩに基づいてＲＡＣＨプロシージャのためのＲＡＣＨフォーマットを選択する。ＵＥは、ＲＡＣＨプロシージャを通してＣＳＩを送り、選択されたＲＡＣＨフォーマットを通してＣＳＩを示す。一構成では、ＵＥは、基地局から周期的な監視メッセージを受信し、受信された周期的な監視メッセージに基づいて基地局に応答を送る。ＵＥは、応答とともにＣＳＩを送り得る。一構成では、ＵＥは、ＲＳＲＱまたはＲＳＲＰのうちの少なくとも１つを決定し、ＲＳＲＰまたはＲＳＲＱのうちの少なくとも１つを基地局に送る。ＵＥは、ＲＳＲＰまたはＲＳＲＱのうちの少なくとも１つとともにＣＳＩを送り得る。
【００８６】
[00107]  図１０は、ワイヤレス通信の第２の方法のフローチャート１０００である。本方法はＵＥによって実行され得る。ステップ１００２において、ＵＥは、基地局からＴＴＩバンドリング送信を受信する。ステップ１００４において、ＵＥはＴＴＩバンドリング送信のサブセットを復号する。ステップ１００６において、ＵＥは、ＴＴＩバンドリング送信のサブセットを復号すると、ＴＴＩバンドリング送信を早期に終了するために、基地局に肯定応答を送る。ＣＳＩは、ＵＥによって受信されたＴＴＩバンドリング送信の割合を通して基地局に示される。ステップ１００８において、ＵＥは、基地局からＭＣＳを用いて変調され、コーディングされた（ＴＴＩバンドル）データを受信し、ここで、ＭＣＳは、ＵＥによって受信されたＴＴＩバンドリング送信の割合に基づく。ＵＥは、ステップ１００８において受信されたＴＴＩバンドリング送信のサブセットを復号するために、ステップ１００４に戻る。
【００８７】
[00108]  たとえば、図８Ｂを参照すると、ＭＴＣ  ＵＥ８０３Ｂは、ｅＮＢ８０５ＢからＴＴＩバンドリング送信を受信する。ＭＴＣ  ＵＥ８０３ＢはＴＴＩバンドリング送信のサブセットを復号する。ＭＴＣ  ＵＥ８０３Ｂは、ＴＴＩバンドリング送信のサブセットを復号すると、ＴＴＩバンドリング送信を早期に終了するために、ｅＮＢ８０５Ｂに肯定応答を送る。ＣＳＩは、ＭＴＣ  ＵＥ８０３Ｂによって受信されたＴＴＩバンドリング送信の割合を通してｅＮＢ８０５Ｂに示される。ＭＴＣ  ＵＥ８０３Ｂは、ｅＮＢ８０５ＢからＭＣＳを用いて変調され、コーディングされた（ＴＴＩバンドル）データを受信し、ここで、ＭＣＳは、ＭＴＣ  ＵＥ８０３Ｂによって受信されたＴＴＩバンドリング送信の割合に基づく。
【００８８】
[00109]  図１１は、ワイヤレス通信の第３の方法のフローチャート１１００である。本方法はＵＥによって実行され得る。ステップ１１０２において、ＵＥは基地局にＵＬ送信を送る。ステップ１１０４において、ＵＥは基地局からデータ送信を受信する。データ送信は、ＵＬ送信に基づいて決定されたＭＣＳ、またはＵＬ送信に基づいて決定されたＴＴＩバンドリングサイズのうちの少なくとも１つを有する。
【００８９】
[00110]  たとえば、図８Ｃを参照すると、ＭＴＣ  ＵＥ８０３ＣはｅＮＢ８０５ＣにＵＬ送信を送る。ＭＴＣ  ＵＥ８０３ＣはｅＮＢ８０５Ｃからデータ送信を受信し、データ送信は、ＵＬ送信に基づいて決定されたＭＣＳ、またはＵＬ送信に基づいて決定されたＴＴＩバンドリングサイズのうちの少なくとも１つを有する。
【００９０】
[00111]  図１２は、例示的な装置１２０２中の異なるモジュール／手段／構成要素間のデータフローを示す概念データフロー図１２００である。本装置はＵＥであり得る。本装置は、基地局からデータを受信するように構成された受信モジュール１２０４を含む。本装置は、複数のサブフレームの各々中で基地局とＵＥとの間のチャネルを推定するように構成されたチャネル推定モジュール１２０６をさらに含む。推定されたチャネルは、複数のサブフレームにわたって平均化され得る。本装置は、基地局とＵＥとの間の推定されたチャネルに対応する第１のＭＣＳを決定するように構成されたＭＣＳ決定および比較モジュール１２０８をさらに含む。ＭＣＳ決定および比較モジュール１２０８は、第２のＭＣＳを決定し、第２のＭＣＳがしきい値超だけ第１のＭＣＳと異なるかどうかを決定するように構成される。本装置は、ＣＳＩを決定するように構成されたＣＳＩ決定モジュール１２１０をさらに含む。ＣＳＩ決定モジュール１２１０は、ＣＳＩをどのように決定すべきかを示す構成を受信し、受信された構成に基づいてＣＳＩを決定し得る。特に、ＣＳＩ決定モジュール１２１０は、複数のサブフレームにわたる最低品質チャネル推定値に基づいてＣＳＩを決定するように構成され得る。ＣＳＩ決定モジュール１２１０はまた、複数のサブフレームにわたる推定されたチャネルの平均に基づいてＣＳＩを決定するように構成され得る。ＣＳＩ決定モジュール１２１０はまた、最低品質チャネル推定値に対応する第１のＣＳＩと、平均チャネル推定値に対応する第２のＣＳＩとを含むＣＳＩを決定するように構成され得る。ＣＳＩ決定モジュール１２１０はまた、チャネルの１つの推定値に基づいてＣＳＩを決定するように構成され得る。ＣＳＩ決定モジュール１２１０はまた、ＭＢＳＦＮサブフレームを示す情報を受信し、受信された情報に基づいてＣＳＩを決定するように構成され得る。さらに、データは基地局の第１のセルから受信され得、ＣＳＩは、基地局の第１のセルとは異なる第２のセルに送られ得る。
【００９１】
[00112]  本装置は、第２のＭＣＳがしきい値超だけ第１のＭＣＳと異なると決定した後に、ＣＳＩを送るように構成された送信モジュール１２１２をさらに含む。送信モジュール１２１２はまた、スケジュールされたＵＬデータ送信内のＭＡＣヘッダ中でＣＳＩを送り、および／またはバッファステータス報告をもつＵＬ送信を用いてＭＡＣヘッダ中でＣＳＩを送るように構成され得る。送信モジュール１２１２はまた、第２のＭＣＳがしきい値超だけ第１のＭＣＳと異なると決定すると、ＣＳＩを送るための要求を基地局に送るように構成され得、受信モジュール１２０４はまた、要求に基づく基地局からの応答を受信するように構成され得、ここで、ＣＳＩは、受信された応答に基づいて基地局に送られる。要求はスケジューリング要求であり得、応答はＵＬ許可であり得る。スケジューリング要求は、ＣＳＩを送るためのＵＬリソースを要求し得、ここで、ＣＳＩは、要求されたＵＬリソース中で送信モジュール１２１２を介して送られる。要求はまた、ランダムアクセスプリアンブルであり得、応答はランダムアクセス応答であり得る。受信モジュール１２０４はまた、基地局からＵＬ許可を受信するように構成され得、ＵＬ許可はＣＳＩを要求し、ここで、ＣＳＩは、受信されたＵＬ許可に基づいて送られる。受信モジュール１２０４はまた、基地局からＵＬ許可を受信するように構成され得、ＵＬ許可は、ＣＳＩが、しきい値よりも大きい時間期間の間に送られないときに受信され、ここで、ＣＳＩは、受信されたＵＬ許可に基づいて送られる。
【００９２】
[00113]  送信モジュール１２１２はまた、ＣＳＩに基づいてＲＡＣＨプロシージャのためのＲＡＣＨフォーマットを選択するように構成され得、ここで、ＣＳＩは、ＲＡＣＨプロシージャを通して送られ、選択されたＲＡＣＨフォーマットを通して示される。受信モジュール１２０４はまた、基地局から周期的な監視メッセージを受信するように構成され得、送信モジュール１２１２は、受信された周期的な監視メッセージに基づいて基地局に応答ように構成され得る。一態様では、ＣＳＩは応答とともに送られ得る。本装置は、ＲＳＲＱまたはＲＳＲＰのうちの少なくとも１つを決定するように構成されたＲＳＲＰ／ＲＳＲＱモジュール１２１４をさらに含み、送信モジュール１２１２は、基地局にＲＳＲＰまたはＲＳＲＱのうちの少なくとも１つを送るように構成され得る。そのような態様では、ＣＳＩは、ＲＳＲＰまたはＲＳＲＱのうちの少なくとも１つとともに送られ得る。
【００９３】
[00114]  本装置は、図８Ａおよび図９の上述のフローチャート中のアルゴリズムのステップの各々を実行する追加のモジュールを含み得る。したがって、図８Ａおよび図９の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９４】
[00115]  図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４、モジュール１２０４、１２０６、１２０８、１２１０、１２１２、および１２１４、ならびにコンピュータ可読媒体１３０６によって表される、１つまたは複数のプロセッサおよび／またはハードウェアモジュールを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００９５】
[00116]  処理システム１３１４はトランシーバ１３１０に結合され得る。トランシーバ１３１０は、１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信された信号から情報を抽出し、抽出された情報を処理システム１３１４、特に受信モジュール１２０４に与える。さらに、トランシーバ１３１０は、処理システム１３１４、特に送信モジュール１２１２から情報を受信し、受信された情報に基づいて、１つまたは複数のアンテナ１３２０に適用されるべき信号を生成する。処理システム１３１４は、コンピュータ可読媒体１３０６に結合されたプロセッサ１３０４を含む。プロセッサ１３０４は、コンピュータ可読媒体１３０６に記憶されたソフトウェアの実行を含む一般的な処理を担当する。ソフトウェアは、プロセッサ１３０４によって実行されたとき、処理システム１３１４に、特定の装置のための上記で説明した様々な機能を実行させる。コンピュータ可読媒体１３０６はまた、ソフトウェアを実行するときにプロセッサ１３０４によって操作されるデータを記憶するために使用され得る。処理システムは、モジュール１２０４、１２０６、１２０８、１２１０、１２１２、および１２１４のうちの少なくとも１つをさらに含む。それらのモジュールは、プロセッサ１３０４中で動作するか、コンピュータ可読媒体１３０６中に常駐する／記憶されたソフトウェアモジュールであるか、プロセッサ１３０４に結合された１つまたは複数のハードウェアモジュールであるか、またはそれらの何らかの組合せであり得る。処理システム１３１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００９６】
[00117]  一構成では、ワイヤレス通信のための装置１２０２／１２０２’は、基地局とＵＥとの間の推定されたチャネルに対応する第１のＭＣＳを決定するための手段と、基地局から第２のＭＣＳを用いて変調され、コーディングされたデータを受信するための手段と、第２のＭＣＳがしきい値超だけ第１のＭＣＳと異なるかどうかを決定するための手段と、第２のＭＣＳがしきい値超だけ第１のＭＣＳと異なると決定した後に、ＣＳＩを送るための手段とを含む。本装置は、第２のＭＣＳがしきい値超だけ第１のＭＣＳと異なると決定すると、ＣＳＩを送るための要求を基地局に送るための手段と、要求に基づく基地局からの応答を受信するための手段とをさらに含み得る。ＣＳＩは、受信された応答に基づいて基地局に送られる。本装置は、複数のサブフレームの各々中でチャネルを推定するための手段と、複数のサブフレームにわたる最低品質チャネル推定値に基づいてＣＳＩを決定するための手段とをさらに含み得る。本装置は、複数のサブフレームの各々中でチャネルを推定するための手段と、複数のサブフレームにわたる推定されたチャネルの平均に基づいてＣＳＩを決定するための手段とをさらに含み得る。本装置は、複数のサブフレームの各々中でチャネルを推定するための手段と、チャネルの１つの推定値に基づいてＣＳＩを決定するための手段とをさらに含み得る。本装置は、ＣＳＩをどのように決定すべきかを示す構成を受信するための手段と、受信された構成に基づいてＣＳＩを決定するための手段とをさらに含み得る。本装置は、ＭＢＳＦＮサブフレームを示す情報を受信するための手段と、受信された情報に基づいてＣＳＩを決定するための手段とをさらに含み得る。本装置は、基地局から周期的な監視メッセージを受信するための手段と、受信された周期的な監視メッセージに基づいて基地局に応答を送るための手段とをさらに含み得る。ＣＳＩは応答とともに送られる。本装置は、ＲＳＲＱまたはＲＳＲＰのうちの少なくとも１つを決定するための手段と、ＲＳＲＰまたはＲＳＲＱのうちの少なくとも１つを基地局に送るための手段とをさらに含み得る。ＣＳＩは、ＲＳＲＰまたはＲＳＲＱのうちの少なくとも１つとともに送られる。上述の手段は、上述の手段によって具陳された機能を実行するように構成された、装置１２０２、および／または装置１２０２’の処理システム１３１４の上述のモジュールのうちの１つまたは複数であり得る。上記で説明したように、処理システム１３１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００９７】
[00118]  図１４は、例示的な装置１４０２中の異なるモジュール／手段／構成要素間のデータフローを示す概念データフロー図１４００である。本装置はＵＥであり得る。本装置は、基地局からＴＴＩバンドリング送信を受信するように構成された受信モジュール１４０４を含む。本装置は、ＴＴＩバンドリング送信のサブセットを復号するように構成された復号モジュール１４０６をさらに含む。本装置は、ＴＴＩバンドリング送信のサブセットを復号すると、ＴＴＩバンドリング送信を早期に終了するために、基地局に肯定応答を送るように構成された送信モジュール１４０８をさらに含む。ＣＳＩは、ＵＥによって受信されたＴＴＩバンドリング送信の割合を通して基地局に示される。受信モジュール１４０４は、基地局からＭＣＳを用いて変調され、コーディングされたデータを受信するように構成され得、ここで、ＭＣＳは、ＵＥによって受信されたＴＴＩバンドリング送信の割合に基づく。
【００９８】
[00119]  代替的に、送信モジュール１４０８は、基地局にＵＬ送信を送るように構成され得、受信モジュール１４０４は、基地局からデータ送信を受信するように構成され得、データ送信は、ＵＬ送信に基づいて決定されたＭＣＳ、またはＵＬ送信に基づいて決定されたＴＴＩバンドリングサイズのうちの少なくとも１つを有する。
【００９９】
[00120]  本装置は、図８Ｂ、図８Ｃ、図１０、および図１１の上述のフローチャート中のアルゴリズムのステップの各々を実行する追加のモジュールを含み得る。したがって、図８Ｂ、図８Ｃ、図１０、および図１１の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１００】
[00121]  図１５は、処理システム１５１４を採用する装置１４０２’のためのハードウェア実装形態の一例を示す図１３００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４、モジュール１４０４、１４０６、および１４０８、ならびにコンピュータ可読媒体１５０６によって表される、１つまたは複数のプロセッサおよび／またはハードウェアモジュールを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【０１０１】
[00122]  処理システム１５１４はトランシーバ１５１０に結合され得る。トランシーバ１５１０は、１つまたは複数のアンテナ１５２０に結合される。トランシーバ１５１０は、伝送媒体を介して様々な他の装置と通信するための手段を与える。トランシーバ１５１０は、１つまたは複数のアンテナ１５２０から信号を受信し、受信された信号から情報を抽出し、抽出された情報を処理システム１５１４、特に受信モジュール１４０４に与える。さらに、トランシーバ１５１０は、処理システム１５１４、特に送信モジュール１４０８から情報を受信し、受信された情報に基づいて、１つまたは複数のアンテナ１５２０に適用されるべき信号を生成する。処理システム１５１４は、コンピュータ可読媒体１５０６に結合されたプロセッサ１５０４を含む。プロセッサ１５０４は、コンピュータ可読媒体１５０６に記憶されたソフトウェアの実行を含む一般的な処理を担当する。ソフトウェアは、プロセッサ１５０４によって実行されたとき、処理システム１５１４に、特定の装置のための上記で説明した様々な機能を実行させる。コンピュータ可読媒体１５０６はまた、ソフトウェアを実行するときにプロセッサ１５０４によって操作されるデータを記憶するために使用され得る。処理システムは、モジュール１４０４、１４０６、および１４０８のうちの少なくとも１つをさらに含む。それらのモジュールは、プロセッサ１５０４中で動作するか、コンピュータ可読媒体１５０６中に常駐する／記憶されたソフトウェアモジュールであるか、プロセッサ１５０４に結合された１つまたは複数のハードウェアモジュールであるか、またはそれらの何らかの組合せであり得る。処理システム１５１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【０１０２】
[00123]  一構成では、ワイヤレス通信のための装置１４０２／１４０２’は、基地局からＴＴＩバンドリング送信を受信するための手段と、ＴＴＩバンドリング送信のサブセットを復号するための手段と、ＴＴＩバンドリング送信のサブセットを復号すると、ＴＴＩバンドリング送信を早期に終了するために、基地局に肯定応答を送るための手段とを含み、ここで、ＣＳＩは、ＵＥによって受信されたＴＴＩバンドリング送信の割合を通して基地局に示される。本装置は、基地局からＭＣＳを用いて変調され、コーディングされたデータを受信するための手段をさらに含み得る。ＭＣＳは、ＵＥによって受信されたＴＴＩバンドリング送信の割合に基づく。
【０１０３】
[00124]  別の構成では、ワイヤレス通信のための装置１４０２／１４０２’は、基地局にＵＬ送信を送るための手段と、基地局からデータ送信を受信するための手段とを含み、データ送信は、ＵＬ送信に基づいて決定されたＭＣＳ、またはＵＬ送信に基づいて決定されたＴＴＩバンドリングサイズのうちの少なくとも１つを有する。上述の手段は、上述の手段によって具陳された機能を実行するように構成された、装置１４０２、および／または装置１４０２’の処理システム１５１４の上述のモジュールのうちの１つまたは複数であり得る。上記で説明したように、処理システム１５１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【０１０４】
[00125]  図１６は、ワイヤレス通信の第４の方法のフローチャート１６００である。本方法はＵＥによって実行され得る。ステップ１６０２において、ＵＥはＣＳＩを決定する。ＣＳＩは、複数のサブフレームにわたって決定され得る。ステップ１６０４において、ＵＥは、タイマーおよび／またはしきい値に基づいて、ＣＳＩを送るべきかどうかを決定する。ＵＥが、ＣＳＩを送らないことを決定した場合、ＵＥはステップ１６０２に戻る。ＵＥが、ＣＳＩを送ることを決定した場合、ステップ１６０６において、ＵＥはＣＳＩを送る。ＵＥは、ＣＳＩを送ることを決定すると、ＭＡＣヘッダ中でＣＳＩを送り得る。一態様では、ＣＳＩは、ＣＱＩ、ＲＩ、ＰＭＩ、ＭＣＳ、または経路損失のうちの少なくとも１つを含み得る。ステップ１６０４において、ＵＥが、しきい値に基づいて、ＣＳＩを送ることを決定することは、ＣＳＩと基準ＣＳＩとの間の差に依存し得る。基準ＣＳＩは、前に報告されたＣＳＩ、固定ＣＳＩ、経路損失、または基地局からの受信されたデータ送信のＭＣＳのうちの少なくとも１つに基づいて決定され得る。ＵＥは、基地局との初期接続セットアップにおいて基地局にＣＳＩを送り得る。
【０１０５】
[00126]  たとえば、図８Ｄを参照すると、ＭＴＣ  ＵＥ８０３ＤはｅＮＢ８０５ＤとＭＴＣ  ＵＥ８０３Ｄとの間のチャネルを推定する。８７３において、ＭＴＣ  ＵＥ８０３Ｄは、次いで、ｅＮＢ８０５ＤとＭＴＣ  ＵＥ８０３Ｄとの間の推定されたチャネルに対応するＣＳＩを決定する。ＭＴＣ  ＵＥ８０３Ｄは、しきい値Ｔ２および／またはタイマーに基づいて、ｅＮＢ８０５ＤにＣＳＩを送るべきかどうかを決定する。たとえば、ＣＳＩと基準ＣＳＩとの間の差がしきい値Ｔ２よりも大きく、および／またはタイマーが満了した場合、ＭＴＣ  ＵＥ８０３Ｄは、ｅＮＢ８０５ＤにＣＳＩを送ることを決定し得る。基準ＣＳＩは、ＣＳＩを決定するより前に、ＵＥ８０３ＤがｅＮＢ８０５Ｄに前に報告したＣＳＩであり得る。基準ＣＳＩは、基準ＣＳＩとして固定値を含む固定ＣＳＩであり得る。基準ＣＳＩは、ｅＮＢ８０５Ｄから受信されたデータ送信のＭＣＳに基づいて決定され得る。ＭＴＣ  ＵＥ８０３Ｄが、ｅＮＢ８０５ＤにＣＳＩを送ることを決定した場合、ＭＴＣ  ＵＥ８０３はＭＡＣヘッダ中でｅＮＢ８０５ＤにＣＳＩを送る。
【０１０６】
[00127]  一構成では、ＵＥは、ＣＳＩを送るための要求を基地局に送り、要求に基づく基地局からの応答を受信する。一態様では、ＵＥは、受信された応答に基づいて基地局にＣＳＩを送り得る。要求はスケジューリング要求またはＲＡＣＨメッセージであり得、応答はＵＬ許可である。一態様では、ＵＥは、ＵＬ許可のスケジュールされたＰＵＳＣＨ中でＣＳＩを送る。ＵＥは、ＲＡＣＨプロシージャのメッセージ３またはメッセージ５中でＣＳＩを送り得る。
【０１０７】
[00128]   一構成では、ＵＥは、ＣＳＩが、しきい値よりも大きい時間期間の間に送られないときに基地局からＵＬ許可を受信する。一態様では、ＵＥは、受信されたＵＬ許可に基づいてＣＳＩを送り得る。一構成では、推定されたチャネルは、複数のサブフレームにわたって平均化される。一構成では、ＵＥは、複数のサブフレームの各々中でチャネルを推定し、複数のサブフレームにわたる最低のＣＳＩに基づいてＣＳＩを決定する。一構成では、ＵＥは、複数のサブフレームの各々中でチャネルを推定し、複数のサブフレームにわたる推定されたチャネルの平均に基づいてＣＳＩを決定する。一構成では、ＵＥは、ＣＳＩをどのように決定すべきかを示す構成を受信し、受信された構成に基づいてＣＳＩを決定する。一構成では、ＵＥは、ＭＢＳＦＮサブフレームを示す情報を受信し、受信された情報に基づいてＣＳＩを決定する。一構成では、ＵＥは、ＣＳＩに基づいてＲＡＣＨプロシージャのためのＲＡＣＨフォーマットを選択する。一態様では、ＵＥは、ＲＡＣＨプロシージャを通してＣＳＩを送り、選択されたＲＡＣＨフォーマットを通してＣＳＩを示し得る。一構成では、ＵＥは、基地局から周期的な監視メッセージを受信し、受信された周期的な監視メッセージに基づいて基地局に応答を送る。一態様では、ＵＥは、応答とともにＣＳＩを送り得る。一構成では、ＵＥは、ＲＳＲＱまたはＲＳＲＰのうちの少なくとも１つを決定し、ＲＳＲＰまたはＲＳＲＱのうちの少なくとも１つを基地局に送る。一態様では、ＵＥは、ＲＳＲＰまたはＲＳＲＱのうちの少なくとも１つとともにＣＳＩを送り得る。一構成では、ＵＥは、タイマーの満了時にＣＳＩを送り得る。
【０１０８】
[00129]  図１７は、例示的な装置１７０２中の異なるモジュール／手段／構成要素間のデータフローを示す概念データフロー図１７００である。本装置はＵＥであり得る。本装置は、基地局１７５０から基準信号を受信するように構成された受信モジュール１７０４を含む。本装置は、ＣＳＩを決定するように構成されたＣＳＩ決定モジュール１７０６をさらに含む。ＣＳＩ決定モジュール１７０６は、複数のサブフレームにわたってＣＳＩを決定し得る。ＣＳＩ決定モジュール１７０６は、複数のサブフレームの各々中でＣＳＩを推定し、複数のサブフレームにわたる最低のＣＳＩ、または複数のサブフレームにわたる推定されたＣＳＩの平均に基づいてＣＳＩを決定するように構成され得る。ＣＳＩ決定モジュール１７０６は、ＣＳＩをどのように決定すべきかを示す構成を受信し、受信された構成に基づいてＣＳＩを決定し得る。ＣＳＩ決定モジュール１７０６はまた、ＭＢＳＦＮサブフレームを示す情報を受信し、受信された情報に基づいてＣＳＩを決定するように構成され得る。
【０１０９】
[00130]  本装置は、タイマーまたはしきい値のうちの少なくとも１つに基づいて、ＣＳＩを送るべきかどうかを決定するように構成されたフィードバックモジュール１７０８をさらに含む。本装置は、タイマーを管理するためのタイマーモジュール１７１０をさらに含む。フィードバックモジュール１７０８は、ＣＳＩと基準ＣＳＩとの間の差に応じて、しきい値に基づいて、ＣＳＩを送ることを決定し得る。ＣＳＩ決定モジュール１７０６は、前に報告されたＣＳＩ、固定ＣＳＩ、経路損失、または基地局１７５０からの受信されたデータ送信のＭＣＳのうちの少なくとも１つに基づいて基準ＣＳＩを決定し得る。フィードバックモジュール１７０８は、タイマーモジュール１７１０によって示されるタイマーの満了時に、ＣＳＩを送ることを決定し得る。
【０１１０】
[00131]  本装置は、ＣＳＩを送ることを決定すると、ＣＳＩを送るように構成された送信モジュール１７１２をさらに含む。送信モジュール１７１２は、ＣＳＩを送ることを決定すると、ＭＡＣヘッダ中でＣＳＩを送り得る。一態様では、ＣＳＩは、ＣＱＩ、ＲＩ、ＰＭＩ、ＭＣＳまたは経路損失のうちの少なくとも１つを含み得る。送信モジュール１７１２は、基地局１７５０との初期接続セットアップにおいて基地局１７５０にＣＳＩを送るように構成され得る。送信モジュール１７１２はまた、ＣＳＩを送るための要求を基地局１７５０に送るように構成され得、受信モジュール１７０４はまた、要求に基づく基地局１７５０からの応答を受信するように構成され得、ここで、ＣＳＩは、受信された応答に基づいて基地局１７５０に送られる。要求はスケジューリング要求またはＲＡＣＨメッセージであり得、応答はＵＬ許可であり得、ここで、本装置は、ＵＬ許可のスケジュールされたＰＵＳＣＨ中でＣＳＩを送る。一態様では、送信モジュール１７１２はＲＡＣＨプロシージャのメッセージ３またはメッセージ５中でＣＳＩを送り得る。送信モジュール１７１２はまた、ＣＳＩに基づいてＲＡＣＨプロシージャのためのＲＡＣＨフォーマットを選択するように構成され得、ここで、ＣＳＩは、ＲＡＣＨプロシージャを通して送られ、選択されたＲＡＣＨフォーマットを通して示される。受信モジュール１７０４はまた、基地局１７５０から周期的な監視メッセージを受信するように構成され得、送信モジュール１７１２は、受信された周期的な監視メッセージに基づいて基地局１７５０に応答を送るように構成され得、ここで、ＣＳＩは応答とともに送られる。本装置は、ＲＳＲＱまたはＲＳＲＰのうちの少なくとも１つを決定するように構成されたＲＳＲＰ／ＲＳＲＱモジュール１７１４をさらに含み、送信モジュール１７１２は、基地局１７５０にＲＳＲＰまたはＲＳＲＱのうちの少なくとも１つを送るように構成され得、ここで、ＣＳＩはＲＳＲＰまたはＲＳＲＱのうちの少なくとも１つとともに送られる。受信モジュール１７０４はまた、基地局１７５０からＵＬ許可を受信するように構成され得、ＵＬ許可は、ＣＳＩが、第２のしきい値よりも大きい時間期間の間に送られないときに受信され、ここで、ＣＳＩは、受信されたＵＬ許可に基づいて送られる。
【０１１１】
[00132]  本装置は、図８Ｄおよび図１６の上述のフローチャート中のアルゴリズムのステップの各々を実行する追加のモジュールを含み得る。したがって、図８Ｄおよび図１６の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１２】
[00133]  図１８は、処理システム１８１４を採用する装置１７０２’のためのハードウェア実装形態の一例を示す図１８００である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８０４、モジュール１７０４、１７０６、１７０８、１７１０、１７１２、および１７１４、ならびにコンピュータ可読媒体／メモリ１８０６によって表される、１つまたは複数のプロセッサおよび／またはハードウェアモジュールを含む様々な回路を互いにリンクする。バス１８２４はまた、タイミングソース、周辺機器、電圧調整器、および電力管理回路など、様々な他の回路をリンクし得るが、これらの回路は当技術分野においてよく知られており、したがって、これ以上説明しない。
【０１１３】
[00134]  処理システム１８１４はトランシーバ１８１０に結合され得る。トランシーバ１８１０は、１つまたは複数のアンテナ１８２０に結合される。トランシーバ１８１０は、伝送媒体を介して様々な他の装置と通信するための手段を与える。トランシーバ１８１０は、１つまたは複数のアンテナ１８２０から信号を受信し、受信された信号から情報を抽出し、抽出された情報を処理システム１８１４、特に受信モジュール１７０４に与える。さらに、トランシーバ１８１０は、処理システム１８１４、特に送信モジュール１７１２から情報を受信し、受信された情報に基づいて、１つまたは複数のアンテナ１８２０に適用されるべき信号を生成する。処理システム１８１４は、コンピュータ可読媒体／メモリ１８０６に結合されたプロセッサ１８０４を含む。プロセッサ１８０４は、コンピュータ可読媒体／メモリ１８０６に記憶されたソフトウェアの実行を含む一般的な処理を担当する。ソフトウェアは、プロセッサ１８０４によって実行されたとき、処理システム１８１４に、特定の装置のための上記で説明した様々な機能を実行させる。コンピュータ可読媒体／メモリ１８０６はまた、ソフトウェアを実行するときにプロセッサ１８０４によって操作されるデータを記憶するために使用され得る。処理システムは、モジュール１７０４、１７０６、１７０８、１７１０、１７１２、および１７１４のうちの少なくとも１つをさらに含む。それらのモジュールは、プロセッサ１８０４中で動作するか、コンピュータ可読媒体／メモリ１８０６中に常駐する／記憶されたソフトウェアモジュールであるか、プロセッサ１８０４に結合された１つまたは複数のハードウェアモジュールであるか、またはそれらの何らかの組合せであり得る。処理システム１８１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【０１１４】
[00135]  一構成では、ワイヤレス通信のための装置１７０２／１７０２’は、ＣＳＩを決定するための手段と、タイマーまたはしきい値のうちの少なくとも１つに基づいて、ＣＳＩを送るべきかどうかを決定するための手段と、ＣＳＩを送ることを決定すると、ＣＳＩを送るための手段とを含む。本装置は、ＣＳＩを送るための要求を基地局に送り、要求に基づく基地局からの応答を受信するための手段をさらに含み得る。一態様では、ＣＳＩは、受信された応答に基づいて基地局に送られる。本装置は、基地局からアップリンク許可を受信するための手段をさらに含み得、アップリンク許可は、ＣＳＩが、第２のしきい値よりも大きい時間期間の間に送られないときに受信される。一態様では、ＣＳＩは、受信されたアップリンク許可に基づいて送られる。本装置は、複数のサブフレームの各々中でＣＳＩを推定するための手段と、複数のサブフレームにわたる最低のＣＳＩ、または複数のサブフレームにわたる推定されたＣＳＩの平均に基づいてＣＳＩを決定するための手段とをさらに含み得る。本装置は、ＣＳＩをどのように決定すべきかを示す構成を受信するための手段と、受信された構成に基づいてＣＳＩを決定するための手段とをさらに含み得る。本装置は、ＭＢＳＦＮサブフレームを示す情報を受信するための手段と、受信された情報に基づいてＣＳＩを決定するための手段とをさらに含み得る。
【０１１５】
[00136]  本装置は、ＣＳＩに基づいてＲＡＣＨプロシージャのためのＲＡＣＨフォーマットを選択するための手段をさらに含み得る。一態様では、ＣＳＩは、ＲＡＣＨプロシージャを通して送られ、選択されたＲＡＣＨフォーマットを通して示される。本装置は、基地局から周期的な監視メッセージを受信するための手段と、受信された周期的な監視メッセージに基づいて基地局に応答を送るための手段とをさらに含み得る。一態様では、ＣＳＩは応答とともに送られる。本装置は、ＲＳＲＱまたはＲＳＲＰのうちの少なくとも１つを決定することと、ＲＳＲＰまたはＲＳＲＱのうちの少なくとも１つを基地局に送るための手段とをさらに含み得る。一態様では、ＣＳＩは、ＲＳＲＰまたはＲＳＲＱのうちの少なくとも１つとともに送られる。上述の手段は、上述の手段によって具陳された機能を実行するように構成された、装置１７０２、および／または装置１７０２’の処理システム１８１４の上述のモジュールのうちの１つまたは複数であり得る。上記で説明したように、処理システム１８１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【０１１６】
[00137]  開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１１７】
[00138]  以上の説明は、当業者が本明細書で説明された様々な態様を実行できるようにするために提供される。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供されるものではない。いかなるクレーム要素も、その要素が「ための手段」という語句を使用して明確に具陳されていない限り、ミーンズプラスファンクションとして解釈されるべきではない。
以下に本願発明の当初の特許請求の範囲に記載された発明を付記する。
［Ｃ１］
チャネル状態情報（ＣＳＩ）を決定することと、
タイマーまたはしきい値のうちの少なくとも１つに基づいて、前記ＣＳＩを送るべきかどうかを決定することと、
前記ＣＳＩを送ることを決定すると、前記ＣＳＩを送ることと
を備える、ユーザ機器（ＵＥ）のワイヤレス通信の方法。
［Ｃ２］
前記ＵＥが、前記ＣＳＩを送ることを決定すると、メディアアクセス制御（ＭＡＣ）ヘッダ中で前記ＣＳＩを送る、Ｃ１に記載の方法。
［Ｃ３］
前記ＣＳＩが、チャネル品質指示（ＣＱＩ）、ランク指示（ＲＩ）、プリコーディング行列インデックス（ＰＭＩ）、変調およびコーディング方式（ＭＣＳ）、または経路損失のうちの少なくとも１つを含む、Ｃ１に記載の方法。
［Ｃ４］
前記ＣＳＩを送るべきかどうかを前記決定することが、前記しきい値に基づいており、前記ＣＳＩと基準ＣＳＩとの間の差に依存する、Ｃ１に記載の方法。
［Ｃ５］
前記基準ＣＳＩが、前に報告されたＣＳＩ、固定ＣＳＩ、経路損失、または基地局からの受信されたデータ送信のＭＣＳのうちの少なくとも１つに基づいて決定される、Ｃ４に記載の方法。
［Ｃ６］
基地局との初期接続セットアップにおいて前記基地局にＣＳＩを送ることをさらに備える、Ｃ１に記載の方法。
［Ｃ７］
前記ＣＳＩを送るための要求を基地局に送ることと、
前記要求に基づく前記基地局からの応答を受信することと
をさらに備え、
ここにおいて、前記ＣＳＩが、前記受信された応答に基づいて前記基地局に送られる、
Ｃ１に記載の方法。
［Ｃ８］
前記要求がスケジューリング要求またはランダムアクセスチャネル（ＲＡＣＨ）メッセージであり、前記応答がアップリンク許可であり、ここにおいて、前記ＵＥが前記アップリンク許可のスケジュールされた物理アップリンク共有チャネル（ＰＵＳＣＨ）中で前記ＣＳＩを送る、Ｃ７に記載の方法。
［Ｃ９］
前記ＵＥがＲＡＣＨプロシージャのメッセージ３またはメッセージ５中で前記ＣＳＩを送る、Ｃ７に記載の方法。
［Ｃ１０］
基地局からアップリンク許可を受信することをさらに備え、前記アップリンク許可は、前記ＣＳＩが第２のしきい値よりも大きい時間期間の間に送られないときに受信され、ここにおいて、前記ＣＳＩが、前記受信されたアップリンク許可に基づいて送られる、Ｃ１に記載の方法。
［Ｃ１１］
前記ＣＳＩが複数のサブフレームにわたって決定される、Ｃ１に記載の方法。
［Ｃ１２］
複数のサブフレームの各々中で前記ＣＳＩを推定することと、
前記複数のサブフレームにわたる最低のＣＳＩ、または前記複数のサブフレームにわたる前記推定されたＣＳＩの平均に基づいて前記ＣＳＩを決定することと
をさらに備える、Ｃ１に記載の方法。
［Ｃ１３］
前記ＣＳＩをどのように決定すべきかを示す構成を受信することと、
前記受信された構成に基づいて前記ＣＳＩを決定することと
をさらに備える、Ｃ１に記載の方法。
［Ｃ１４］
マルチキャストブロードキャスト単一周波数ネットワーク（ＭＢＳＦＮ）サブフレームを示す情報を受信することと、
前記受信された情報に基づいて前記ＣＳＩを決定することと
をさらに備える、Ｃ１に記載の方法。
［Ｃ１５］
前記ＣＳＩに基づいてランダムアクセスチャネル（ＲＡＣＨ）プロシージャのためのＲＡＣＨフォーマットを選択することをさらに備え、ここにおいて、前記ＣＳＩが、前記ＲＡＣＨプロシージャを通して送られ、前記選択されたＲＡＣＨフォーマットを通して示される、Ｃ１に記載の方法。
［Ｃ１６］
基地局から周期的な監視メッセージを受信することと、
前記受信された周期的な監視メッセージに基づいて前記基地局に応答を送ることと、ここにおいて、前記ＣＳＩが前記応答とともに送られる、
をさらに備える、Ｃ１に記載の方法。
［Ｃ１７］
基準信号受信品質（ＲＳＲＱ）または基準信号受信電力（ＲＳＲＰ）のうちの少なくとも１つを決定することと、
基地局に前記ＲＳＲＰまたは前記ＲＳＲＱのうちの前記少なくとも１つを送ることと
をさらに備え、
ここにおいて、前記ＣＳＩが前記ＲＳＲＰまたは前記ＲＳＲＱのうちの前記少なくとも１つとともに送られる、
Ｃ１に記載の方法。
［Ｃ１８］
前記ＣＳＩが前記タイマーの満了時に送られる、Ｃ１に記載の方法。
［Ｃ１９］
ワイヤレス通信のための装置であって、前記装置がユーザ機器（ＵＥ）であり、
メモリと、
前記メモリに結合され、
チャネル状態情報（ＣＳＩ）を決定することと、
タイマーまたはしきい値のうちの少なくとも１つに基づいて、前記ＣＳＩを送るべきかどうかを決定することと、
前記ＣＳＩを送ることを決定すると、前記ＣＳＩを送ることと
を行うように構成された少なくとも１つのプロセッサと
を備える、装置。
［Ｃ２０］
前記装置が、前記ＣＳＩを送ることを決定すると、メディアアクセス制御（ＭＡＣ）ヘッダ中で前記ＣＳＩを送る、Ｃ１９に記載の装置。
［Ｃ２１］
前記少なくとも１つのプロセッサが、
前記ＣＳＩを送るための要求を基地局に送ることと、
前記要求に基づく前記基地局からの応答を受信することと
を行うようにさらに構成され、
ここにおいて、前記ＣＳＩが、前記受信された応答に基づいて前記基地局に送られる、
Ｃ１９に記載の装置。
［Ｃ２２］
前記少なくとも１つのプロセッサが、基地局からアップリンク許可を受信するようにさらに構成され、前記アップリンク許可は、前記ＣＳＩが第２のしきい値よりも大きい時間期間の間に送られないときに受信され、ここにおいて、前記ＣＳＩが、前記受信されたアップリンク許可に基づいて送られる、Ｃ１９に記載の装置。
［Ｃ２３］
前記少なくとも１つのプロセッサが、
複数のサブフレームの各々中で前記ＣＳＩを推定することと、
前記複数のサブフレームにわたる最低のＣＳＩ、または前記複数のサブフレームにわたる前記推定されたＣＳＩの平均に基づいて前記ＣＳＩを決定することと
を行うようにさらに構成された、Ｃ１９に記載の装置。
［Ｃ２４］
前記少なくとも１つのプロセッサが、
前記ＣＳＩをどのように決定すべきかを示す構成を受信することと、
前記受信された構成に基づいて前記ＣＳＩを決定することと
を行うようにさらに構成された、Ｃ１９に記載の装置。
［Ｃ２５］
前記少なくとも１つのプロセッサが、
マルチキャストブロードキャスト単一周波数ネットワーク（ＭＢＳＦＮ）サブフレームを示す情報を受信することと、
前記受信された情報に基づいて前記ＣＳＩを決定することと
を行うようにさらに構成された、Ｃ１９に記載の装置。
［Ｃ２６］
前記少なくとも１つのプロセッサが、前記ＣＳＩに基づいてランダムアクセスチャネル（ＲＡＣＨ）プロシージャのためのＲＡＣＨフォーマットを選択するようにさらに構成され、ここにおいて、前記ＣＳＩが、前記ＲＡＣＨプロシージャを通して送られ、前記選択されたＲＡＣＨフォーマットを通して示される、Ｃ１９に記載の装置。
［Ｃ２７］
前記少なくとも１つのプロセッサが、
基地局から周期的な監視メッセージを受信することと、
前記受信された周期的な監視メッセージに基づいて前記基地局に応答を送ることと、ここにおいて、前記ＣＳＩが前記応答とともに送られる、
を行うようにさらに構成された、Ｃ１９に記載の装置。
［Ｃ２８］
前記少なくとも１つのプロセッサが、
基準信号受信品質（ＲＳＲＱ）または基準信号受信電力（ＲＳＲＰ）のうちの少なくとも１つを決定することと、
基地局に前記ＲＳＲＰまたは前記ＲＳＲＱのうちの前記少なくとも１つを送ることと
を行うようにさらに構成され、
ここにおいて、前記ＣＳＩが前記ＲＳＲＰまたは前記ＲＳＲＱのうちの前記少なくとも１つとともに送られる、
Ｃ１９に記載の装置。
［Ｃ２９］
ワイヤレス通信のための装置であって、前記装置がユーザ機器（ＵＥ）であり、
チャネル状態情報（ＣＳＩ）を決定するための手段と、
タイマーまたはしきい値のうちの少なくとも１つに基づいて、前記ＣＳＩを送るべきかどうかを決定するための手段と、
前記ＣＳＩを送ることを決定すると、前記ＣＳＩを送るための手段と
を備える、装置。
［Ｃ３０］
チャネル状態情報（ＣＳＩ）を決定することと、
タイマーまたはしきい値のうちの少なくとも１つに基づいて、前記ＣＳＩを送るべきかどうかを決定することと、
前記ＣＳＩを送ることを決定すると、前記ＣＳＩを送ることと
を行うためのコードを備えるコンピュータ可読媒体
を備える、ユーザ機器（ＵＥ）中のコンピュータプログラム製品。
【図１】
0006437451.tif 000002
【図２】
0006437451.tif 000003
【図３】
0006437451.tif 000004
【図４】
0006437451.tif 000005
【図５】
0006437451.tif 000006
【図６】
0006437451.tif 000007
【図７Ａ】
0006437451.tif 000008
【図７Ｂ】
0006437451.tif 000009
【図８Ａ】
0006437451.tif 000010
【図８Ｂ】
0006437451.tif 000011
【図８Ｃ】
0006437451.tif 000012
【図８Ｄ】
0006437451.tif 000013
【図９】
0006437451.tif 000014
【図１０】
0006437451.tif 000015
【図１１】
0006437451.tif 000016
【図１２】
0006437451.tif 000017
【図１３】
0006437451.tif 000018
【図１４】
0006437451.tif 000019
【図１５】
0006437451.tif 000020
【図１６】
0006437451.tif 000021
【図１７】
0006437451.tif 000022
【図１８】
0006437451.tif 000023